(57)【要約】【課題】マクロセル及びスモールセルが配置される場合に、キャリアアグリゲーションにおけるＵＥにとっての負荷を軽減しつつ、マクロセルの無線リソースの消費を抑えることを可能にする。【解決手段】マクロセルと一部又は全体で重なるスモールセル内での無線通信を制御する通信制御部と、上記スモールセルで用いられる複数の周波数帯域のうちのどの周波数帯域が互いに同期しているかを示す第１の同期関係情報を取得する取得部と、を備える通信制御装置が提供される。上記第１の同期関係情報は、上記通信制御部により上記スモールセル内で提供され、上記マクロセルの基地局により上記マクロセル内で提供されない。【選択図】図１２
2014129040.tif 000002
【特許請求の範囲】
【請求項１】
マクロセルと一部又は全体で重なるスモールセル内での無線通信を制御する通信制御部と、
前記スモールセルで用いられる複数の周波数帯域のうちのどの周波数帯域が互いに同期しているかを示す第１の同期関係情報を取得する取得部と、
を備え、
前記第１の同期関係情報は、前記通信制御部により前記スモールセル内で提供され、前記マクロセルの基地局により前記マクロセル内で提供されない、
通信制御装置。
【請求項２】
前記マクロセルで用いられる１つ以上の別の周波数帯域のうちのどの周波数帯域がどの周波数帯域と同期しているかを示す第２の同期関係情報は、前記マクロセルの前記基地局により前記マクロセル内で提供される、請求項１に記載の通信制御装置。
【請求項３】
前記第２の同期関係情報は、前記マクロセルで用いられる前記１つ以上の別の周波数帯域のうちのどの周波数帯域が、前記スモールセルで用いられる前記複数の周波数帯域のうちのどの周波数帯域と同期しているか、を示す、請求項２に記載の通信制御装置。
【請求項４】
前記マクロセルで用いられる前記１つ以上の別の周波数帯域は、２つ以上の周波数帯域を含み、
前記第２の同期関係情報は、前記１つ以上の別の周波数帯域のうちのどの周波数帯域が互いに同期しているかを示す、
請求項２に記載の通信制御装置。
【請求項５】
前記取得部は、前記マクロセルで用いられる１つ以上の別の周波数帯域のうちのどの周波数帯域が、前記スモールセルで用いられる前記複数の周波数帯域のうちのどの周波数帯域と同期しているか、を示す第２の同期関係情報を取得し、
前記第２の同期関係情報は、前記通信制御部により前記スモールセル内で提供され、前記マクロセルの前記基地局により前記マクロセル内で提供されない、請求項１に記載の通信制御装置。
【請求項６】
前記取得部は、前記複数の周波数帯域のうちのどの周波数帯域が、前記マクロセル及び前記スモールセル以外の別のセルで用いられる１つ以上の周波数帯域のうちのどの周波数帯域と同期しているか、を示す第３の同期関係情報を取得し、
前記第３の同期関係情報は、前記通信制御部により前記スモールセル内で提供され、前記マクロセルの基地局により前記マクロセル内で提供されない、
請求項１に記載の通信制御装置。
【請求項７】
前記別のセルは、前記マクロセルと一部又は全体で重なる別のスモールセルを含む、請求項６に記載の通信制御装置。
【請求項８】
前記別のセルは、前記マクロセルに隣接する別のマクロセルを含む、請求項６に記載の通信制御装置。
【請求項９】
前記取得部は、前記マクロセル及び前記スモールセル以外の別のセルで用いられる複数の周波数帯域のうちのどの周波数帯域が互いに同期しているかを示す第４の同期関係情報を取得し、
前記第４の同期関係情報は、前記通信制御部により前記スモールセル内で提供され、前記マクロセルの基地局により前記マクロセル内で提供されない、
請求項１に記載の通信制御装置。
【請求項１０】
前記別のセルは、前記マクロセルと一部又は全体で重なる別のスモールセル、及び前記マクロセルに隣接する別のマクロセルであり、
前記第４の同期関係情報は、前記別のスモールセルで用いられる１つ以上の周波数帯域のうちのどの周波数帯域が、前記別のマクロセルで用いられる１つ以上の周波数帯域のうちのどの周波数帯域と同期しているか、を示す、
請求項９に記載の通信制御装置。
【請求項１１】
前記通信制御部は、前記第１の同期関係情報を含む２種類以上の同期関係情報の各々が前記マクロセル及び前記スモールセルのうちのいずれで提供されるかを示す情報を、前記スモールセル内で提供する、請求項１に記載の通信制御装置。
【請求項１２】
前記第１の同期関係情報を含む２種類以上の同期関係情報の各々は、同期関係情報の種類に応じて、個別の端末装置へのシグナリング、及び端末装置に共通のシステム情報のうちのいずれか一方で提供される、請求項１に記載の通信制御装置。
【請求項１３】
前記第１の同期関係情報を含む２種類以上の同期関係情報の各々は、個別の端末装置へのシグナリングで前記通信制御部により前記スモールセル内で提供され、又は、端末装置に共通のシステム情報で前記マクロセルの前記基地局により前記マクロセル内で提供される、請求項１に記載の通信制御装置。
【請求項１４】
前記通信制御部は、前記第１の同期関係情報を含む２種類以上の同期関係情報の各々が、個別の端末装置へのシグナリング、及び端末装置に共通のシステム情報のうちのいずれで提供されるか、を示す情報を、前記スモールセル内で提供する、請求項１２に記載の通信制御装置。
【請求項１５】
前記通信制御部は、前記第１の同期関係情報を含む２種類以上の同期関係情報の各々を、種類の重要度に応じた順序で提供する、請求項１に記載の通信制御装置。
【請求項１６】
マクロセルと一部又は全体で重なるスモールセル内での無線通信を制御することと、
前記スモールセルで用いられる複数の周波数帯域のうちのどの周波数帯域が互いに同期しているかを示す第１の同期関係情報を取得することと、
を含み、
前記第１の同期関係情報は、前記スモールセルの基地局により前記スモールセル内で提供され、前記マクロセルの基地局により前記マクロセル内で提供されない、
通信制御方法。
【請求項１７】
スモールセルの一部又は全体と重なるマクロセル内での無線通信を制御する通信制御部と、
複数の周波数帯域のうちのどの周波数帯域が互いに同期しているかを示す同期関係情報を取得する取得部と、
を備え、
前記通信制御部は、前記同期関係情報を前記マクロセル内で提供し、
前記同期関係情報は、前記スモールセルで用いられる複数の周波数帯域のうちのどの周波数帯域が互いに同期しているかを示す第１の同期関係情報を含まず、
前記第１の同期関係情報は、前記スモールセルの基地局により提供される、
通信制御装置。
【請求項１８】
前記取得部は、前記マクロセル及び前記スモールセル以外の別のセルで用いられる複数の周波数帯域のうちのどの周波数帯域が互いに同期しているかを示す第５の同期関係情報を取得し、
前記通信制御部は、前記第５の同期関係情報を前記マクロセル内で提供する、請求項１７に記載の通信制御装置。
【請求項１９】
前記別のセルは、前記マクロセルに隣接する別のマクロセルである、請求項１８に記載の通信制御装置。
【請求項２０】
マクロセルに一部又は全体で重なるスモールセル又は前記マクロセル内で無線通信を行う無線通信部と、
前記スモールセルで用いられる複数の周波数帯域のうちのどの周波数帯域が互いに同期しているかを示す第１の同期関係情報を、前記スモールセルの基地局により前記スモールセル内で提供される情報から取得し、前記マクロセルの基地局により前記マクロセル内で提供される情報から取得しない取得部と、
を備える端末装置。
【発明の詳細な説明】
【技術分野】
【０００１】
本開示は、通信制御装置、通信制御方法及び端末装置に関する。
【背景技術】
【０００２】
現在、３ＧＰＰ（Third  Generation  Partnership  Project）において４Ｇの無線通信システムが規格化されている。４Ｇにおいては、キャリアアグリゲーション、リレー及びＭＵ−ＭＩＭＯ（Multi-User  Multiple-Input  Multiple-Output）等の技術が注目されている。【０００３】
とりわけ、キャリアアグリゲーションは、２０ＭＨｚのバンド幅を有する例えば５つの周波数帯をまとめて扱うことにより、２０ＭＨｚ×５＝１００ＭＨｚのバンド幅を扱える技術である。このキャリアアグリゲーションによれば、最大スループットの向上が期待される。このようなキャリアアグリゲーションに関連して様々な技術が検討されている。【０００４】
例えば、特許文献１には、ハンドオーバの緊急度の判定結果に基づいて、メジャメントギャップの割当てをコンポーネントキャリア（Component  Carrier：ＣＣ）ごとに制御することにより、スループットの低下を抑制する技術が、開示されている。
【先行技術文献】
【特許文献】
【０００５】
【特許文献１】特開２０１１−１２０１９６号公報
【発明の概要】
【発明が解決しようとする課題】
【０００６】
一方、３ＧＰＰのリリース１１では、後方互換性を維持できるＬｅｇａｃｙ  ＣＣ（従来型のＣＣ）とは別に、新たなコンポーネントキャリアとして、ＮＣＴ（New  Carrier  Type）が検討されている。ここでは、ＮＣＴは、新たなＣＣの型（type）のことを意味するとともに、当該型のＣＣのことも意味するものとする。そして、ＮＣＴとして、Ｌｅｇａｃｙ  ＣＣと同期しているＮＣＴ（Synchronized  New  Carrier  Type：ＳＮＣＴ）と、Ｌｅｇａｃｙ  ＣＣと同期していないＮＣＴ（Unsynchronized  New  Carrier  Type：ＵＮＣＴ）とが、検討されている。【０００７】
ＳＮＣＴは、いずれかのＬｅｇａｃｙ  ＣＣと同期しているので、ＵＥ（User  Equipment）は、互いに同期しているＳＮＣＴ及びＬｅｇａｃｙ  ＣＣのうちの一方のＣＣにおいて同期をとれば、当該一方のＣＣにけるＵＥの同期結果を他方のＣＣに利用し得る。即ち、ＵＥは、他方のＣＣにおいて同期用信号（例えば、ＣＲＳ（Common  Reference  Signal））により別途同期をとらなくてもよい。【０００８】
また、ＵＮＣＴは、いずれのＬｅｇａｃｙ  ＣＣとも同期していないが、別のＵＮＣＴと同期し得るので、ＵＥは、互いに同期している２つ以上のＵＮＣＴのうちの１つのＵＮＣＴにおいて同期をとれば、当該１つのＵＮＣＴにおけるＵＥの同期結果を他のＣＣに利用し得る。即ち、ＵＥは、他のＣＣにおいて同期用信号により別途同期をとらなくてもよい。【０００９】
しかし、ＵＥがあるＣＣにおけるＵＥの同期結果を別のＣＣに利用するためには、ＵＥに大きな負荷がかかることが懸念される。【００１０】
例えば、Ｌｅｇａｃｙ  ＣＣの中には、ＳＮＣＴと離れた周波数帯域も存在し得るので、ＳＮＣＴは、全てのＬｅｇａｃｙ  ＣＣと同期しているわけではない。そのため、ＵＥは、Ｌｅｇａｃｙ  ＣＣにおけるＵＥの同期結果をＳＮＣＴに利用するためには、Ｌｅｇａｃｙ  ＣＣとＳＮＣＴとの様々な組合せについての同期を検証することになる。このように、ＵＥに大きな負荷がかかってしまう。【００１１】
また、例えば、ＵＮＣＴは別のＵＮＣＴと同期している可能性があるが、全てのＵＮＣＴが同期しているわけではない。そのため、ＵＥは、あるＵＮＣＴにおけるＵＥの同期結果を別のＵＮＣＴに利用するためには、ＵＮＣＴの様々な組合せについての同期を検証することになる。このように、ＵＥに大きな負荷がかかってしまう。【００１２】
また、とりわけ、マクロセルと、当該マクロセルに一部又は全体で重なるスモールセルとが存在する場合に、同期し得るＣＣの組合せの数はかなり大きいので、同期の検証のためにＵＥにはさらに大きな負荷がかかってしまう。【００１３】
また、そもそも、ＵＥは、あるＣＣにおけるＵＥの同期結果を別のＣＣに利用しない場合には、各ＣＣにおいて同期用信号により同期をとる必要がある。このように、ＵＥには大きな負荷がかかってしまう。【００１４】
以上を踏まえて、本件発明者は、ＣＣ間での同期関係（即ち、どのＣＣが互いに同期しているか）を示す情報をＵＥに提供することに着想した。しかし、上記同期関係を示す情報をＵＥに知らせるとしても、多大な情報をマクロセルで提供すると、マクロセルにおける多くの貴重な無線リソースを消費してしまうことになり得る。【００１５】
そこで、マクロセル及びスモールセルが配置される場合に、キャリアアグリゲーションにおけるＵＥにとっての負荷を軽減しつつ、マクロセルの無線リソースの消費を抑えることを可能にする仕組みが提供されることが望ましい。
【課題を解決するための手段】
【００１６】
本開示によれば、マクロセルと一部又は全体で重なるスモールセル内での無線通信を制御する通信制御部と、上記スモールセルで用いられる複数の周波数帯域のうちのどの周波数帯域が互いに同期しているかを示す第１の同期関係情報を取得する取得部と、を備える通信制御装置が提供される。上記第１の同期関係情報は、上記通信制御部により上記スモールセル内で提供され、上記マクロセルの基地局により上記マクロセル内で提供されない。【００１７】
本開示によれば、マクロセルと一部又は全体で重なるスモールセル内での無線通信を制御することと、上記スモールセルで用いられる複数の周波数帯域のうちのどの周波数帯域が互いに同期しているかを示す第１の同期関係情報を取得することと、を含む通信制御方法が提供される。上記第１の同期関係情報は、上記スモールセルの基地局により上記スモールセル内で提供され、上記マクロセルの基地局により上記マクロセル内で提供されない。【００１８】
また、本開示によれば、スモールセルの一部又は全体と重なるマクロセル内での無線通信を制御する通信制御部と、複数の周波数帯域のうちのどの周波数帯域が互いに同期しているかを示す同期関係情報を取得する取得部と、を備える通信制御装置が提供される。上記通信制御部は、上記同期関係情報を上記マクロセル内で提供し、上記同期関係情報は、上記スモールセルで用いられる複数の周波数帯域のうちのどの周波数帯域が互いに同期しているかを示す第１の同期関係情報を含まず、上記第１の同期関係情報は、上記スモールセルの基地局により提供される。【００１９】
また、本開示によれば、マクロセルに一部又は全体で重なるスモールセル又は上記マクロセル内で無線通信を行う無線通信部と、上記スモールセルで用いられる複数の周波数帯域のうちのどの周波数帯域が互いに同期しているかを示す第１の同期関係情報を、上記スモールセルの基地局により上記スモールセル内で提供される情報から取得し、上記マクロセルの基地局により上記マクロセル内で提供される情報から取得しない取得部と、を備える端末装置が提供される。
【発明の効果】
【００２０】
以上説明したように本開示によれば、マクロセル及びスモールセルが配置される場合に、キャリアアグリゲーションにおけるＵＥにとっての負荷を軽減しつつ、マクロセルの無線リソースの消費を抑えることが可能となる。
【図面の簡単な説明】
【００２１】
【図１】各ＵＥのＰＣＣの一例を説明するための説明図である。
【図２】ダウンリンクにおいてＣＣで送信されるＣＲＳの一例を説明するための説明図である。
【図３】ＮＣＴの例を説明するための説明図である。
【図４】周波数方向におけるＣＲＳの削減の例を説明するための説明図である。
【図５】時間方向におけるＣＲＳの削減の例を説明するための説明図である。
【図６】スモールセルの３つの配置シナリオの例を説明するための説明図である。
【図７】システム情報及びＲＲＣシグナリングの特徴を説明するための説明図である。
【図８】コンポーネントキャリア間での時間同期を説明するための説明図である。
【図９】コンポーネントキャリア間での周波数同期を説明するための説明図である。
【図１０】一実施形態に係る通信システムの概略的な構成の一例を示す説明図である。
【図１１】一実施形態に係るピコｅＮｏｄｅＢの構成の一例を示すブロック図である。
【図１２】提供され得る同期関係情報の種類の例を説明するための説明図である。
【図１３】サービングピコｅＮｏｄｅＢにより提供される同期関係情報の種類の例を説明するための説明図である。
【図１４】一実施形態に係るマクロｅＮｏｄｅＢの構成の一例を示すブロック図である。
【図１５】サービングマクロｅＮｏｄｅＢにより提供される同期関係情報の種類の例を説明するための説明図である。
【図１６】一実施形態に係るＵＥの構成の一例を示すブロック図である。
【図１７】一実施形態に係るピコｅＮｏｄｅＢ側の第１の通信制御処理の一例を説明するための説明図である。
【図１８】一実施形態に係るピコｅＮｏｄｅＢ側の第２の通信制御処理の一例を説明するための説明図である。
【図１９】一実施形態に係るマクロｅＮｏｄｅＢ側の通信制御処理の一例を説明するための説明図である。
【図２０】一実施形態に係るＵＥ側の通信制御処理の一例を説明するための説明図である。
【図２１】一実施形態の第１の変形例においてサービングピコｅＮｏｄｅＢにより提供される同期関係情報の種類の例を説明するための説明図である。
【図２２】一実施形態の第１の変形例においてサービングマクロｅＮｏｄｅＢにより提供される同期関係情報の種類の例を説明するための説明図である。
【図２３】一実施形態の第２の変形例において提供され得る同期関係情報の種類の例を説明するための説明図である。
【図２４】一実施形態の第２の変形例においてサービングピコｅＮｏｄｅＢにより提供される同期関係情報の種類の例を説明するための説明図である。
【図２５】一実施形態の第２の変形例においてサービングマクロｅＮｏｄｅＢにより提供される同期関係情報の種類の例を説明するための説明図である。
【図２６】一実施形態の第３の変形例に係るピコｅＮｏｄｅＢ側の第１の通信制御処理の一例を説明するための説明図である。
【図２７】一実施形態の第３の変形例に係るピコｅＮｏｄｅＢ側の第２の通信制御処理の一例を説明するための説明図である。
【図２８】一実施形態の第３の変形例に係るマクロｅＮｏｄｅＢ側の通信制御処理の一例を説明するための説明図である。
【図２９】一実施形態の第３の変形例に係るＵＥ側の通信制御処理の一例を説明するための説明図である。
【図３０】第３のシナリオのようにピコセル１１が配置される場合における同期関係の種類の例を説明するための説明図である。
【図３１】本開示に係る技術が適用され得るｅＮｏｄｅＢの概略的な構成の第１の例を示すブロック図である。
【図３２】本開示に係る技術が適用され得るｅＮｏｄｅＢの概略的な構成の第２の例を示すブロック図である。
【図３３】本開示に係る技術が適用され得るスマートフォンの概略的な構成の一例を示すブロック図である。
【図３４】本開示に係る技術が適用され得るカーナビゲーション装置の概略的な構成の一例を示すブロック図である。
【発明を実施するための形態】
【００２２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００２３】
なお、説明は以下の順序で行うものとする。
１．３ＧＰＰにおける無線通信の技術
２．本開示の実施形態に係る技術的課題
２．１．周波数帯域間の同期に関する考察
２．２．技術的課題
３．本実施形態に係る通信システムの概略的な構成
４．各装置の構成
４．１．ピコｅＮｏｄｅＢの構成
４．２．マクロｅＮｏｄｅＢの構成
４．３．ＵＥの構成
５．処理の流れ
６．第１の変形例
７．第２の変形例
８．第３の変形例
９．その他
１０．応用例
１１．ピコｅＮｏｄｅＢ及びマクロｅＮｏｄｅＢに関する応用例
１２．ＵＥに関する応用例
１１．まとめ
【００２４】
＜＜１．３ＧＰＰにおける無線通信の技術＞＞
まず、前提として、３ＧＰＰにおける無線通信の技術を説明する。
【００２５】
（リリース１０のキャリアアグリゲーション）
−コンポーネントキャリア
リリース１０のキャリアアグリゲーションでは、最大で５つのコンポーネントキャリア（ＣＣ）が束ねられて、ＵＥにより使用される。各ＣＣは、最大２０ＭＨｚ幅の帯域である。キャリアアグリゲーションでは、周波数方向で連続するＣＣが使用される場合と、周波数方向で離れたＣＣが使用される場合とがある。キャリアアグリゲーションでは、使用されるＣＣをＵＥ毎に設定することが可能である。
【００２６】
−プリマリＣＣとセカンダリＣＣ
キャリアアグリゲーションでは、ＵＥにより使用される複数のＣＣのうちの１つが特別なＣＣである。当該１つの特別なＣＣは、ＰＣＣ（Primary  Component  Carrier）と呼ばれる。また、上記複数のＣＣのうちの残りは、ＳＣＣ（Secondary  Component  Carrier）と呼ばれる。ＰＣＣは、ＵＥによって異なり得る。以下、この点について図１を参照してより具体的に説明する。
【００２７】
図１は、各ＵＥのＰＣＣの一例を説明するための説明図である。図１を参照すると、ＵＥ３０Ａ及びＵＥ３０Ｂ、並びに５つのＣＣ１〜５が示されている。この例では、ＵＥ３０Ａは、ＣＣ１及びＣＣ２という２つのＣＣを使用している。そして、ＵＥ３０Ａは、ＣＣ２をＰＣＣとして使用している。一方、ＵＥ３０Ｂは、ＣＣ２及びＣＣ４という２つのＣＣを使用している。そして、ＵＥ３０Ｂは、ＣＣ４をＰＣＣとして使用している。このように、各ＵＥは、異なるＣＣをＰＣＣとして使用し得る。
【００２８】
ＰＣＣは、複数のＣＣの中で最も重要なＣＣであるので、通信品質が最も安定しているＣＣであることが望ましい。なお、どのＣＣをＰＣＣとするかは、実際には、どのように実装するかに依存する。
【００２９】
ＵＥが最初に接続を確立するＣＣが、当該ＵＥにとってのＰＣＣである。ＳＣＣは、ＰＣＣに追加される。即ち、ＰＣＣは、主要な周波数帯域であり、ＳＣＣは、補助的な周波数帯域である。ＳＣＣの変更は、既存のＳＣＣの削除と新たなＳＣＣの追加により行われる。ＰＣＣの変更は、従来の周波数間ハンドオーバの手順で行われる。キャリアアグリゲーションでは、ＵＥは、ＳＣＣのみを使用することはできず、必ず１つのＰＣＣを使用する。
【００３０】
なお、ＰＣＣは、プライマリセル（Primary  Cell）と呼ばれることもある。また、ＳＣＣは、セカンダリセル（Secondary  Cell）と呼ばれることもある。
【００３１】
−ＣＲＳでのＵＥによる同期
キャリアアグリゲーションでは、各ＣＣで共通リファレンス信号（Common  Reference  Signal：ＣＲＳ）が送信される。そして、ＵＥは、当該ＣＲＳにより、各ＣＣにおいて同期をとる。本明細書では、「（ＵＥがＣＣにおいて）同期をとる（Synchronize）」とは、ＵＥが、ＣＣにいて信号を正しく受信できるように信号の受信におけるタイミング及び／又は周波数を調整すること（例えば、同期追跡、等）を意味する。なお、共通リファレンス信号は、セル固有のリファレンス信号（Cell-specific  Reference  Signal）とも呼ばれる。
【００３２】
（リリース１１のＮＣＴの背景）
キャリアアグリゲーションでは、後方互換性（Backward  Compatibility）の確保の観点から、各ＣＣがＬｅｇａｃｙ  ＵＥ（即ち、従来型のＵＥ）により使用可能であることが前提であった。しかし、Ｌｅｇａｃｙ  ＵＥが使用できないもののより効率的であるＣＣの定義が、検討され始めている。即ち、ＮＣＴ（New  Carrier  Type）又は追加キャリア（Additional  Carrier）と呼ばれる新たなＣＣの定義が、検討され始めている。
【００３３】
上記ＮＣＴに対する最大のモチベーションは、ＣＣのオーバーヘッドを減らすことである。上記オーバーヘッドは、ユーザデータの送信に利用される無線リソース以外の無線リソースである。即ち、上記オーバーヘッドは、制御のために利用される無線リソースである。当該オーバーヘッドが増加すると、ユーザデータの送信に利用可能な無線リソースが減少してしまうので、上記増加は望ましくない。オーバーヘッドの一因として、ダウンリンクでは各ＣＣにおいてＣＲＳが存在する。以下、この点について、図２を参照してより具体的に説明する。
【００３４】
図２は、ダウンリンクにおいてＣＣで送信されるＣＲＳの一例を説明するための説明図である。図２を参照すると、２０ＭＨｚのＣＣに対応するいくつかの無線リソースブロック（Resource  Block：ＲＢ）が示されている。各ＲＢは、周波数方向において１２サブキャリアの幅を有し、時間方向において７ＯＦＤＭ（Orthogonal  Frequency  Division  Multiplexing）シンボルの幅を有する。そして、各ＲＢでＣＲＳが送信される。即ち、周波数方向においてＣＣの帯域幅にわたって存在し、時間方向においてスロットごとに存在する全てのＲＢで、ＣＲＳが送信される。よって、各ＣＣで、且つ各サブフレームでＣＲＳが送信される。
【００３５】
ＣＲＳの１つの目的は、ＵＥが同期をとれるようにすることである。同期には、時間方向における同期である時間同期（又はタイミング同期）と、周波数方向の同期である周波数同期とがある。ＵＥは、ＣＲＳにより、周波数方向及び時間方向において高い精度で同期をとることができる。また、ＵＥは、ＣＲＳにより継続的に同期をとる。
【００３６】
また、ＣＲＳの別の目的は、ＵＥがダウンリンク信号を適切に復調することである。ＵＥは、ＣＲＳの位相に基づいて、他の受信信号の復調を行う。
【００３７】
ＣＲＳ（Common  Reference  Signal）は、リリース８で導入された最も基本的なリファレンス信号（Reference  Signal：ＲＳ）である。一方、現在、ＣＳＩ−ＲＳ（Channel  State  Information-Reference  Signal）のような間欠的に送信されるＲＳがあり、当該ＲＳがダウンリンク信号の復調のために用いられる。よって、現在のＣＲＳの目的は、主として、ＵＥが同期をとれるようにすることである。そのため、ＵＥが同期をとることが可能な限り、ＣＲＳが送信される頻度を下げることも可能である。
【００３８】
（リリース１１におけるＮＴＣについて検討されたＣＲＳの削減）
−ＮＣＴの種類
リリース１１において検討されたＮＣＴには、大きく分けて２種類のＮＣＴがある。
【００３９】
２種類のＮＣＴのうちの一方は、Ｌｅｇａｃｙ  ＣＣ（即ち、従来型のＣＣ）と同期しているＮＣＴである。ＵＥは、Ｌｅｇａｃｙ  ＣＣにおいて同期をとれば、当該Ｌｅｇａｃｙ  ＣＣと同期しているＮＣＴに、当該Ｌｅｇａｃｙ  ＣＣにおけるＵＥの同期結果を利用できる。このようなＮＣＴは、Ｓｙｎｃｈｒｏｎｉｚｅｄ  ＮＣＴ（以下、「ＳＮＣＴ」と呼ぶ）と呼ばれる。なお、本明細書では、「（ＣＣにおけるＵＥの）同期結果を（別のＣＣに）利用する」とは、ＣＣにおける受信タイミング及び受信周波数から、別のＣＣにおける受信タイミング及び受信周波数を取得することを意味する。
【００４０】
また、２種類のＮＣＴのうちの他方は、Ｌｅｇａｃｙ  ＣＣと同期していないＮＣＴである。ＵＥは、当該ＮＣＴにおいて同期をとる必要がある。このようなＮＣＴは、Ｕｎｓｙｎｃｈｒｏｎｉｚｅｄ  ＮＣＴ（以下、「ＵＮＣＴ」と呼ぶ）と呼ばれる。ＵＮＣＴでは同期処理が必要であるので、ＵＮＣＴにおいてＣＲＳが送信される。
【００４１】
以上のように、ＮＣＴには、ＳＮＣＴとＵＮＣＴとがある。以下、ＳＮＣＴ及びＵＮＣＴの具体例を、図３を参照して説明する。
【００４２】
図３は、ＮＣＴの例を説明するための説明図である。図３を参照すると、５つのＣＣ４０が示されている。５つのＣＣ４０のうちのＣＣ４０Ａ及びＣＣ４０Ｂは、Ｌｅｇａｃｙ  ＣＣである。この例では、ＣＣ４０Ａ及びＣＣ４０Ｂは、互いに同期している。また、ＣＣ４０Ｃ、ＣＣ４０Ｄ及びＣＣ４０Ｅは、ＮＣＴである。さらに具体的には、ＣＣ４０ＣがＬｅｇａｃｙ  ＣＣであるＣＣ４０Ａ及びＣＣ４０Ｂの両方と同期しているＳＮＣＴである。また、ＣＣ４０Ｄ及びＣＣ４０Ｅは、ＣＣ４０Ａ及びＣＣ４０Ｂのいずれとも同期していないＵＮＣＴである。この例では、ＣＣ４０Ｄ及びＣＣ４０Ｅは、互いに同期していない。
【００４３】
−Ｕｎｓｙｎｃｈｒｏｎｉｚｅｄ  ＮＣＴについてのＣＲＳの削減
Ｌｅｇａｃｙ  ＣＣで送信されるＣＲＳは、ＵＥが同期をとれるようにするためだけではなく、受信信号の復調のためにも送信されるので、冗長である。一方、リリース１０以降のリリースでは、復調のためのＲＳとしてＣＩＳ−ＲＳが規格化されたので、ＣＲＳを削減することが可能である。そこで、ＵＥが継続的に同期をとることを可能にしつつＣＲＳをどれだけ削除できるかが、検討された。とりわけ、Ｕｎｓｙｎｃｈｒｏｎｉｚｅｄ  ＮＣＴ（即ち、ＵＮＣＴ）のＣＲＳの削減として、周波数方向におけるＣＲＳの削減と、時間方向におけるＣＲＳの削減が検討された。
【００４４】
周波数方向におけるＣＲＳの削減として、例えば、ＣＲＳが送信されるＲＢが、６ＲＢ、２５ＲＢ又は５０ＲＢまで削減される。以下、この点について図４を参照して具体的に説明する。
【００４５】
図４は、周波数方向におけるＣＲＳの削減の例を説明するための説明図である。図４を参照すると、ＣＲＳを送信するＲＢを周波数方向において６ＲＢにするケースと、ＣＲＳを送信するＲＢを周波数方向において２５ＲＢにするケースとが、示されている。このように、周波数方向にわたって存在する全てのＲＢにおいてＣＲＳを送信するのではなく、限定されたＲＢにおいてＣＲＳが送信される。
【００４６】
一方、時間方向におけるＣＲＳの削減として、例えば、ＣＲＳの送信周期が、５ｍｓ又は１０ｍｓとされる。この点について図５を参照して具体的に説明する。
【００４７】
図５は、時間方向におけるＣＲＳの削減の例を説明するための説明図である。図５を参照すると、ＣＲＳの送信周期が５ｍｓであるケースと、ＣＲＳの送信周期が１０ｍｓであるケースとが、示されている。このように、時間方向において全てのスロット又は全てのサブフレームでＣＲＳを送信するのではなく、限定されたサブフレームにおいてＣＲＳが送信される。
【００４８】
以上のような、周波数方向におけるＣＲＳの削減と時間方向におけるＣＲＳの削減との組合せの手法が検討された。ＵＥが同期をとれているか否かの評価として、ＳＮＲが−８ｄＢの環境で５００Ｈｚ程度の精度が維持されているか否かが評価された。結果として、ＳＮＲが−８ｄＢの環境では、５ｍｓ毎に２５ＲＢでＣＲＳを送信することが必要であった。
【００４９】
−Ｓｙｎｃｈｒｏｎｉｚｅｄ  ＮＣＴについてのＣＲＳの削減
一方、Ｓｙｎｃｈｒｏｎｉｚｅｄ  ＮＣＴ（ＳＮＣＴ）は、Ｌｅｇａｃｙ  ＣＣと同期しているので、基本的には、ＳＮＣＴにおいては、従来のＣＲＳを削除してしまうことが可能である。
【００５０】
（同期監視手続き）
ＵＥは、ＵＥが同期をとれているか否かを、ＰＤＣＣＨ（Physical  Downlink  Control  CHannel）のブロックエラーレート（Block  Error  Rate：ＢＬＥＲ）に基づいて監視する。換言すると、ＵＥは、ＰＤＣＣＨのＢＬＥＲに基づいて、ＵＥの同期外れを検出する。例えば、ＰＤＣＣＨのＢＬＥＲが１０％以上になった場合に、ＵＥは同期外れを検出する。
【００５１】
所定の回数の同期外れが検出されると、タイマが開始する。そして、当該タイマが期限切れになる（expire）と、ＲＬＦ（Radio  Link  Failure）が認識される。ＲＬＦが認識されると、ＵＥは、他のＵＥへの干渉を避けるために、ＲＬＦの認識から４０ｍｓ以内に全ての送信を停止する。その後、ＵＥは、セルの選択（Cell  Selection）、ランダム・アクセス等を含むＲＲＣの再確立（RRC-Re-Establishment）の手続きを行う。
【００５２】
なお、ＵＥは、上述したような同期監視をＰＣＣに対して行うが、ＳＣＣに対して行わない。ＵＥは、ＳＣＣにおけるＰＤＣＣＨの不検出により、当該ＳＣＣをデアクティベートする。
【００５３】
（リリース１２のＮＣＴ）
リリース１２のＮＣＴは、３ＧＰＰ  ＲＡＮ  ＃５７  Ｐｌｅｎａｒｙ  ｍｅｅｔｉｎｇにおいて、ＲＰ−１２１４１５として、２０１２年９月に承認された検討事項（Study  Item：ＳＩ）である。このＳＩは、フェーズ１とフェーズ２とに分かれる。フェーズ１では、リリース１１のＮＣＴの強化（Enhancement）についての検討が行われ、フェーズ２では、スモールセルのシナリオを考慮した検討が行われる予定である。なお、スモールセルは、具体的には、例えば、ピコセル、ナノセル、フェムトセル等である。本明細書では、スモールセルの具体例としてピコセルを挙げて説明する。
【００５４】
上記スモールセルのシナリオとして、現在、３ＧＰＰでは、スモールセルについての３つの配置シナリオが考えられている。第１の配置シナリオ（即ち、Deployment  Scenario  1）では、スモールセルは、全体でマクロセルに重なる（overlap）。また、第２の配置シナリオで（即ち、Deployment  Scenario  2）は、スモールセルは、一部でマクロセルに重なる。また、第３のシナリオ（即ち、Deployment  Scenario  3）では、スモールセルは、マクロセルに重ならない。即ち、スモールセルの近傍にマクロセルがなく、スモールセルのみが運用される。以下、図６を参照して配置シナリオの具体例を説明する。
【００５５】
図６は、スモールセルの３つの配置シナリオの例を説明するための説明図である。図６を参照するおと、３つのピコセル１１Ａ、１１Ｂ及び１１Ｃ、並びに、マクロセル２１が示されている。また、これらのピコセル１１の基地局であるピコｅＮｏｄｅＢ１０、及び、マクロセル２１の基地局であるマクロｅＮｏｄｅＢ２０も示されている。まず、ピコセル１１Ａは、全体でマクロセル２１に重なり、ピコセル１１Ｂは、一部でマクロセル２１に重なり、また、ピコセル１１Ｃは、マクロセル２１に重ならない。即ち、ピコセル１１Ａの配置は、第１の配置シナリオに該当し、ピコセル１１Ｂの配置は、第２の配置シナリオに該当し、また、ピコセル１１Ｃの配置は、第３の配置シナリオに該当する。なお、この例では、マクロセル２１では、周波数帯域Ｆ１を用いて無線通信が行われる。また、ピコセル１１では、周波数帯域Ｆ２を用いて無線通信が行われる。
【００５６】
（ＵＥへの制御情報の提供手法）
ｅＮｏｄｅＢは、ＵＥへ制御情報を提供する際に、例えば、システム情報（System  Information）又はＲＲＣ（Radio  Resource  Control）シグナリングを用いる。以下、図７を参照して、これらの２つの提供手法の特徴を説明する。
【００５７】
図７は、システム情報及びＲＲＣシグナリングの特徴を説明するための説明図である。図７を参照すると、システム情報及びＲＲＣシグナリングについて、ｅＮｏｄｅＢがＵＥに制御情報を提供するために必要なＵＥの状態、提供対象のＵＥ（及び提供する情報）、並びに、提供可能な情報量が示されている。
【００５８】
第１に、ｅＮｏｄｅＢが、システム情報で制御情報を提供するためには、ＵＥは、ＲＲＣ＿Ｃｏｎｎｅｃｔｅｄ（即ち、接続状態）及びＲＲＣ＿Ｉｄｌｅ（即ち、アイドル状態）のいずれであってもよい。一方、ｅＮｏｄｅＢが、ＲＲＣシグナリングで制御情報を提供するためには、ＵＥは、ＲＲＣ＿Ｃｏｎｎｅｃｔｅｄ（即ち、接続状態）でなければならない。
【００５９】
第２に、システム情報では、制御情報は、個別のＵＥではなく、全てのＵＥに提供される。即ち、システム情報で提供される制御情報は、ＵＥに共通の情報であると言える。一方、ＲＲＣシグナリングでは、制御情報は、基本的には、個別のＵＥに提供される。即ち、ＲＲＣシグナリングで提供される制御情報は、基本的には、個別のＵＥの制御情報であると言える。ただし、別々のＵＥにＲＲＣシグナリングで共通の制御情報を送信することにより、ＲＲＣシグナリングで、ＵＥに共通の情報を提供することも可能である。
【００６０】
第３に、システム情報は、限られた制御情報を含み、限られた無線リソースを用いて送信される。そのため、システム情報で提供される制御情報の情報量は小さい。一方、ＲＲＣシグナリングは、ＰＤＳＣＨ（Physical  Downlink  Shared  CHannel）で比較的自由に送信される。そのため、ＲＲＣシグナリングで提供される制御情報の情報量は大きい。
【００６１】
＜２．本開示の実施形態に係る技術的課題＞
続いて、本開示の実施形態に係る技術的課題を説明する。
【００６２】
＜２．１．周波数帯域間の同期に関する考察＞
まず、周波数帯域間の同期に関する考察を説明する。
【００６３】
（周波数帯域間での同期）
ここでは、周波数帯域間での同期をより具体的に説明する。周波数帯域間の同期として、時間方向での同期（以下、「時間同期」と呼ぶ）と、周波数方向での同期（以下、「周波数同期」と呼ぶ）とがある。以下、この点について図８及び図９を参照して具体例を説明する。
【００６４】
図８は、コンポーネントキャリア間での時間同期を説明するための説明図である。図８を参照すると、ＣＣ１及びＣＣ２のそれぞれの受信タイミングが示されている。例えば、図８に示されるような例のように、ＵＥにおけるＣＣ１での信号の受信タイミングと、当該ＵＥにおけるＣＣ２での受信タイミングとの間に、時間方向でのずれが生じ得る。例えば、このような時間方向のずれがＯＦＤＭのガードインターバル長に比べて小さい場合に、ＣＣ１及びＣＣ２を時間方向において互いに同期しているとみなすことができる。
【００６５】
図９は、コンポーネントキャリア間での周波数同期を説明するための説明図である。図９を参照すると、ＣＣ１の周波数帯域及びＣＣ２の周波数帯域が示されている。また、ＣＣ１の中心周波数及びＣＣ２の中心周波数も示されている。また、ＣＣ１の中心周波数とＣＣ２の中心周波数とは、所定の周波数幅だけ離れることになっている。しかし、実際には、例えば、ＣＣ１の中心周波数から当該所定の周波数幅だけ離れた周波数と、ＣＣ２の中心周波数との間に、周波数方向のずれが生じ得る。例えば、このような周波数方向のずれが所定の周波数幅（例えば、ＬＴＥでは５００Ｈｚ）以内である場合に、ＣＣ１及びＣＣ２を周波数方向において互いに同期しているとみなすことができる。
【００６６】
以上のように、周波数帯域間の同期は、時間同期及び周波数同期を含む。そのため、周波数帯域間の同期について、以下の４つのケースが存在する。
ケース１：時間同期及び周波数同期の両方がある
ケース２：時間同期があるが、周波数同期はない
ケース３：時間同期はないが、周波数同期はある
ケース４：時間同期及び周波数領域の両方がない
【００６７】
一般に、互いに同期している周波数帯域とは、ケース１に該当する周波数帯域である。ただし、ケース２又はケース３に該当する周波数帯域も、（時間方向又は周波数方向において）互いに同期している周波数帯域とみなされてもよい。
【００６８】
（ｅＮｏｄｅＢ側での同期とＵＥ側での同期）
また、別の観点として、周波数帯域間の同期として、ｅＮｏｄｅＢ側（即ち、ネットワーク側）での同期とＵＥでの同期とがある。そして、２つのＣＣについて、ｅＮｏｄｅＢ側で時間同期及び周波数同期があるとしても、ＵＥが当該２つのＣＣで信号を受信する際に、ＵＥ側で時間同期及び周波数同期があるかは不明である。
【００６９】
例えば、ＣＣ１とＣＣ２とが周波数方向において離れている場合には、ＣＣ１の伝搬路とＣＣ２の伝搬路とが異なり、その結果信号の到達時間が異なり得る。この場合には、時間同期が失われる。
【００７０】
また、例えば、ＣＣ１の電波とＣＣ２の電波とが、異なる方向からＵＥに到来し得る。この場合に、ＵＥがＣＣ１の電波の到来方向に向かって移動すると、ＣＣ１の周波数は、ドップラー効果により、周波数ｆから周波数ｆ＋△ｆに遷移する。また、ＵＥがＣＣ２の電波の到来方向と逆の方向に向かって移動すると、ＣＣ２の周波数帯域は、ドップラー効果により、周波数ｆから周波数ｆ−△ｆに遷移する。このように、ドップラー効果により、周波数同期が失われる。
【００７１】
以上のように、時間同期及び周波数同期は失われ得るので、ネットワーク側で２つのＣＣが互いに同期していたとしても、当該２つのＣＣがＵＥ側で互いに同期しているかは不明である。
【００７２】
＜２．２．技術的課題＞
次に、技術的課題を説明する。
【００７３】
−同期結果の利用
上述したように、３ＧＰＰのリリース１１では、後方互換性を維持できるＬｅｇａｃｙ  ＣＣ（従来型のＣＣ）とは別に、新たなコンポーネントキャリアとして、ＮＣＴが検討されている。ここでは、ＮＣＴは、新たなＣＣの型（type）のことを意味するとともに、当該型のＣＣのことも意味するものとする。そして、ＮＣＴとして、Ｌｅｇａｃｙ  ＣＣと同期しているＮＣＴ（即ち、ＳＮＣＴ）と、Ｌｅｇａｃｙ  ＣＣと同期していないＮＣＴ（即ち、ＵＮＣＴ）とが、検討されている。
【００７４】
ＳＮＣＴは、いずれかのＬｅｇａｃｙ  ＣＣと同期しているので、ＵＥは、互いに同期しているＳＮＣＴ及びＬｅｇａｃｙ  ＣＣのうちの一方のＣＣにおいて同期をとれば、当該一方のＣＣにおけるＵＥの同期結果を他方のＣＣに利用し得る。即ち、ＵＥは、他方のＣＣにおいて同期用信号により別途同期をとらなくてもよい。
【００７５】
また、ＵＮＣＴは、いずれのＬｅｇａｃｙ  ＣＣとも同期していないが、別のＵＮＣＴと同期し得るので、ＵＥは、互いに同期している２つ以上のＵＮＣＴのうちの１つのＣＣにおいて同期をとれば、当該１つのＣＣにおけるＵＥの同期結果を他のＣＣに利用し得る。即ち、ＵＥは、他方のＣＣにおいて同期用信号により別途同期をとらなくてもよい。
【００７６】
−同期結果の利用のための負荷
しかし、ＵＥがあるＣＣにおけるＵＥの同期結果を別のＣＣに利用するためには、ＵＥに大きな負荷がかかることが懸念される。
【００７７】
例えば、Ｌｅｇａｃｙ  ＣＣの中には、ＳＮＣＴと離れた周波数帯域も存在し得るので、ＳＮＣＴは、全てのＬｅｇａｃｙ  ＣＣと同期しているわけではない。そのため、ＵＥは、Ｌｅｇａｃｙ  ＣＣにおけるＵＥの同期結果をＳＮＣＴに利用するためには、Ｌｅｇａｃｙ  ＣＣとＳＮＣＴとの様々な組合せについての同期を検証することになる。このように、ＵＥに大きな負荷がかかってしまう。
【００７８】
また、例えば、ＵＮＣＴは別のＵＮＣＴと同期している可能性があるが、全てのＵＮＣＴが同期しているわけではない。そのため、ＵＥは、あるＵＮＣＴにおけるＵＥの同期結果を別のＵＮＣＴに利用するためには、ＵＮＣＴの様々な組合せについての同期を検証することになる。このように、ＵＥに大きな負荷がかかってしまう。
【００７９】
また、とりわけ、マクロセルと、当該マクロセルに一部又は全体で重なるスモールセルとが存在する場合に、同期し得るＣＣの組合せの数はかなり大きいので、同期の検証のためにＵＥにはさらに大きな負荷がかかってしまう。
【００８０】
また、そもそも、ＵＥは、あるＣＣにおけるＵＥの同期結果を別のＣＣに利用しない場合には、各ＣＣにおいて同期用信号により同期をとる必要がある。このように、ＵＥには大きな負荷がかかってしまう。
【００８１】
−同期関係を示す情報の提供
以上を踏まえて、本件発明者は、ＣＣ間での同期関係（即ち、どのＣＣが互いに同期しているか）を示す情報をＵＥに提供することに着想した。
【００８２】
上述したように、ネットワーク側で２つのＣＣが互いに同期していたとしても、当該２つのＣＣがＵＥ側で互いに同期しているかは不明であるので、上記同期関係をＵＥが知得したとしても、ＵＥが実際に同期を検証することになる。とはいえ、上記同期関係（換言すると、同期しているＣＣのペアの候補）をＵＥが知得すれば、同期を検証するために費やされる時間及び計算のリソースは減少し得る。そのため、上記同期関係を示す情報をＵＥに提供することは有用である。
【００８３】
しかし、上記同期関係を示す情報をＵＥに知らせるとしても、多大な情報をマクロセルで提供すると、マクロセルにおける多くの貴重な無線リソースを消費してしまうことになり得る。
【００８４】
そこで、本開示の実施形態は、マクロセル及びスモールセルが配置される場合に、キャリアアグリゲーションにおけるＵＥにとっての負荷を軽減しつつ、マクロセルの無線リソースの消費を抑えることを可能にする。
【００８５】
＜＜３．本実施形態に係る通信システムの概略的な構成＞＞
続いて、図１０を参照して、本開示の実施形態に係る通信システムの概略的な構成を説明する。図１０は、本実施形態に係る通信システム１の概略的な構成の一例を示す説明図である。図１を参照すると、通信システム１は、ピコｅＮｏｄｅＢ１００、マクロｅＮｏｄｅＢ２００及びＵＥ３００を含む。例えば、通信システム１は、ＬＴＥ−Ａｄｖａｎｃｅｄに準拠したシステムである。
【００８６】
（ピコｅＮｏｄｅＢ１００）
ピコｅＮｏｄｅＢ１００は、マクロセル２１と一部又は全体で重なるピコセル１１内に位置するＵＥ３００との無線通信を行う。また、ピコｅＮｏｄｅＢ１００は、複数のコンポーネントキャリア（ＣＣ）を用いて無線通信を行う。
【００８７】
また、例えば、異なるピコセル１１（異なるピコｅＮｏｄｅＢ１００）間で、同一の複数のＣＣが用いられる。具体的には、例えば、ピコｅＮｏｄｅＢ１００Ａ及びピコｅＮｏｄｅＢ１００Ｂは、同一の複数のＣＣを使用して無線通信を行う。
【００８８】
また、ピコｅＮｏｄｅＢ１００は、１つのＵＥ３００との無線通信に、複数のＣＣを同時に用いることができる。即ち、ピコｅＮｏｄｅＢ１００は、キャリアアグリゲーションをサポートする。
【００８９】
また、例えば、ピコセル１１において用いられる上記複数のＣＣは、無線通信での時間の単位であるサブフレームのうちの少なくともいずれかのサブフレームではＣＲＳが送信されない１つ以上のＣＣを含む。より具体的には、例えば、上記複数のＣＣは、１つ以上のＮＣＴを含む。
【００９０】
なお、本実施形態では、ピコセル１１は、第１の配置シナリオ（即ち、Deployment  Scenario  1）又は第２の配置シナリオで（即ち、Deployment  Scenario  2）のように配置される。
【００９１】
（マクロｅＮｏｄｅＢ２００）
マクロｅＮｏｄｅＢ２００は、マクロセル２１内に位置するＵＥ３００との無線通信を行う。また、マクロｅＮｏｄｅＢ２００は、１つ以上のＣＣを用いて無線通信を行う。例えば、当該１つ以上のＣＣの各々は、ピコセル１１において用いられる上記複数のＣＣのいずれとも異なるＣＣである。また、例えば、上記１つ以上のＣＣは、複数のＣＣである。即ち、マクロｅＮｏｄｅＢ２００も、複数のＣＣを用いて無線通信を行う。
【００９２】
また、例えば、異なるマクロセル２１（異なるマクロｅＮｏｄｅＢ２００）間で、同一の複数のＣＣが用いられる。具体的には、例えば、互いに隣接する２つのマクロセル２１のマクロｅＮｏｄｅＢ２００は、同一の複数のＣＣを使用して無線通信を行う。
【００９３】
また、例えば、マクロｅＮｏｄｅＢ２００は、１つのＵＥ３００との無線通信に、複数のＣＣを同時に用いることができる。即ち、マクロｅＮｏｄｅＢ２００は、キャリアアグリゲーションをサポートする。
【００９４】
また、例えば、マクロセル２１において用いられる上記複数のＣＣは、無線通信での時間の単位であるサブフレームのうちの少なくともいずれかのサブフレームではＣＲＳが送信されない１つ以上のＣＣを含む。より具体的には、例えば、上記複数のＣＣは、１つ以上のＮＣＴを含む。
【００９５】
（ＵＥ３００）
ＵＥ３００は、ピコセル１１内でピコｅＮｏｄｅＢ１００との無線通信を行う。また、ＵＥ３００は、マクセル２１内でマクロｅＮｏｄｅＢ２００との無線通信を行う。
【００９６】
また、ＵＥ３００は、無線通信に複数のＣＣを同時に使用できる。具体的には、例えば、ＵＥ３００は、複数のＣＣを同時に使用して、ピコｅＮｏｄｅＢ１００又はマクロｅＮｏｄｅＢ２００との無線通信を行うことができる。即ち、ＵＥ３００は、キャリアアグリゲーションをサポートする。
【００９７】
＜＜４．各装置の構成＞＞
続いて、図１１〜図１６を参照して、本開示の実施形態に係る通信システム１に含まれる各装置の構成を説明する。
【００９８】
＜４．１．ピコｅＮｏｄｅＢの構成＞
まず、図１１〜図１３を参照して、本実施形態に係るピコｅＮｏｄｅＢ１００の構成を説明する。図１１は、本実施形態に係るピコｅＮｏｄｅＢ１００の構成の一例を示すブロック図である。図１１を参照すると、ピコｅＮｏｄｅＢ１００は、アンテナ部１１０、無線通信部１２０、ネットワーク通信部１３０、記憶部１４０及び制御部１５０を備える。
【００９９】
（アンテナ部１１０）
アンテナ部１１０は、無線信号を受信し、受信された無線信号を無線通信部１２０へ出力する。また、アンテナ部１１０は、無線通信部１２０により出力された送信信号を送信する。
【０１００】
（無線通信部１２０）
無線通信部１２０は、ピコセル１１内に位置するＵＥ３００との無線通信を行う。例えば、無線通信部１２０は、複数のＣＣを同時に使用して無線通信を行う。例えば、当該複数のＣＣは、マクロセル２１で用いられるＣＣとは別の周波数帯域である。また、例えば、当該複数のＣＣは、１つ以上のＮＣＴを含む。
【０１０１】
また、例えば、無線通信部１２０は、複数のＣＣを同時に使用して、１つのＵＥ３００と無線通信し得る。即ち、ピコｅＮｏｄｅＢ１００は、キャリアアグリゲーションをサポートする。
【０１０２】
（ネットワーク通信部１３０）
ネットワーク通信部１３０は、他の通信ノードと通信する。例えば、ネットワーク通信部１３０は、マクロｅＮｏｄｅＢ２００、他のピコｅＮｏｄｅＢ１００、ＭＭＥ（Mobility  Management  Entity）等と通信する。
【０１０３】
（記憶部１４０）
記憶部１４０は、ピコｅＮｏｄｅＢ１００の動作のためのプログラム及びデータを記憶する。
【０１０４】
例えば、記憶部１４０は、無線通信に用いられる複数のＣＣのうちのどのＣＣが互いに同期しているかを示す同期関係情報を記憶する。
【０１０５】
（制御部１５０）
制御部１５０は、ピコｅＮｏｄｅＢ１００の様々な機能を提供する。
【０１０６】
制御部１５０は、同期関係情報取得部１５１及び通信制御部１５３を含む。
【０１０７】
（同期関係情報取得部１５１）
同期関係情報取得部１５１は、複数のＣＣのうちのどのＣＣが互いに同期しているか（即ち、ＣＣ間の同期関係）を示す同期関係情報を取得する。
【０１０８】
−ＵＥに提供され得る同期関係情報の種類
まず、通信システム１において、あるＵＥ３００にとってのサービングピコｅＮｏｄｅＢ１００Ａ又はサービングマクロｅＮｏｄｅＢ２００により提供され得る同期関係情報の種類を、図１２を参照して説明する。
【０１０９】
図１２は、提供され得る同期関係情報の種類の例を説明するための説明図である。図１２を参照すると、図１０と同様に、ピコｅＮｏｄｅＢ１００及びピコセル１１、並びに、マクロｅＮｏｄｅＢ２００及びマクロセル２１が、示されている。この例では、ピコセル１１Ａ内にＵＥ３００が位置し、ピコセル１１ＡがＵＥ３００にとってのサービングピコセルであり、マクロセル２１がＵＥ３００にとってのサービングマクロセルである。また、図１２には、マクロセル２１において用いられる２つのＣＣ（ＣＣ１及びＣＣ２）、並びに、各ピコセル１１で用いられる２つのＣＣ（ＣＣ３及びＣＣ４）が示されている。例えばこのように、マクロセル２１とピコセル１１との間で別のＣＣが用いられ、ピコセル１１間では同一のＣＣが用いられる。
【０１１０】
このようなセルの配置では、例えば以下のような種類の同期関係（Synchronization  Relationship：ＳＲ）を示す情報が、ピコｅＮｏｄｅＢ１００Ａ又はマクロｅＮｏｄｅＢ２００により提供され得る。
ＳＲ１：サービングマクロセル２１のＣＣ間の同期関係
ＳＲ２：サービングマクロセル２１のＣＣとサービングピコセル１１ＡのＣＣとの間の同期関係
ＳＲ３：サービングマクロセル２１のＣＣと、サービングマクロセル２１と重なる他のピコセル１１ＢのＣＣとの間の同期関係
ＳＲ４：サービングピコセル１１ＡのＣＣ間の同期関係
ＳＲ５：サービングピコセルのＣＣ１１Ａと、サービングマクロセル２１と重なる他のピコセル１１ＢのＣＣとの間の同期関係
【０１１１】
−同期関係情報の取得
−−ＳＲ４
第１に、とりわけ本実施形態では、ピコｅＮｏｄｅＢ１００Ａの同期関係情報取得部１５１は、ピコセル１１Ａで用いられる複数のＣＣのうちのどのＣＣが互いに同期しているかを示す同期関係情報を取得する。即ち、同期関係情報取得部１５１は、図１２に示される同期関係のうちのＳＲ４を示す同期関係情報（以下、「ＳＲ４情報」と呼ぶ）を取得する。
【０１１２】
より具体的には、例えば、ピコｅＮｏｄｅＢ１００Ａの同期関係情報取得部１５１は、ピコセル１１ＡのＣＣ３及びＣＣ４のうちのどのＣＣが互いに同期しているかを示す同期関係情報（即ち、ＳＲ４情報）を取得する。一例として、ピコセル１１ＡのＣＣ３及びＣＣ４が互いに同期している場合には、上記ＳＲ４情報は、ピコセル１１ＡのＣＣ３及びＣＣ４が互いに同期していることを示す。
【０１１３】
−−ＳＲ５
第２に、例えば、ピコｅＮｏｄｅＢ１００Ａの同期関係情報取得部１５１は、ピコセル１１Ａで用いられる複数のＣＣのうちのどのＣＣが、マクロセル２１及びピコセル１１Ａ以外の別のセルで用いられる１つ以上のＣＣのうちのどのＣＣと同期しているか、を示す同期関係情報を取得する。
【０１１４】
例えば、上記別のセルは、マクロセル２１と一部又は全体で重なる別のピコセル１１Ｂを含む。即ち、同期関係情報取得部１５１は、図１２に示される同期関係のうちのＳＲ５を示す同期関係情報（以下、「ＳＲ５情報」と呼ぶ）を取得する。
【０１１５】
より具体的には、例えば、ピコｅＮｏｄｅＢ１００Ａの同期関係情報取得部１５１は、ピコセル１１ＡのＣＣ３及びＣＣ４のうちのどのＣＣと、ピコセル１１ＢのＣＣ３及びＣＣ４のうちのどのＣＣとが同期しているか、を示す同期関係情報（即ち、ＳＲ５情報）を取得する。一例として、ピコセル１１ＡのＣＣ３とピコセル１１ＢのＣＣ４とが互いに同期している場合に、上記ＳＲ５情報は、ピコセル１１ＡのＣＣ３とピコセル１１ＢのＣＣ４とが互いに同期していることを示す。また、ピコセル１１ＡのＣＣ４とピコセル１１ＢのＣＣ３とが互いに同期している場合に、上記ＳＲ５情報は、ピコセル１１ＡのＣＣ３とピコセル１１ＢのＣＣ３とが互いに同期していることを示す。
【０１１６】
例えば以上のように、同期関係情報取得部１５１は、同期関係情報としてＳＲ４情報及びＳＲ５情報を取得する。なお、ＳＲ４情報及びＳＲ５情報は、記憶部１４０に記憶され、同期関係情報取得部１５１は、記憶部１４０から当該ＳＲ４情報及び当該ＳＲ５情報を取得する。
【０１１７】
（通信制御部１５３）
通信制御部１５３は、ピコセル１１での無線通信を制御する。例えば、通信制御部１５３は、ピコセル１１内に位置するＵＥ３００に制御情報を提供する。
【０１１８】
−同期関係情報の提供
とりわけ本実施形態では、通信制御部１５３は、複数のＣＣ間での同期関係を示す同期関係情報をピコセル１１内で提供する。換言すると、通信制御部１５３は、ピコセル１１内に位置するＵＥ３００に上記同期関係情報を提供する。
【０１１９】
−−ＳＲ４
第１に、ピコｅＮｏｄｅＢ１００Ａの通信制御部１５３は、ピコセル１１Ａで用いられる複数のＣＣのうちのどのＣＣが互いに同期しているかを示す同期関係情報（即ち、ＳＲ４情報）をピコセル１１Ａ内で提供する。
【０１２０】
また、上記ＳＲ４情報は、マクロｅＮｏｄｅＢ２００によりマクロセル２１内で提供されない。
【０１２１】
このようなＳＲ４情報の提供により、マクロセル２１及びピコセル１１が配置される場合において、キャリアアグリゲーションにおけるＵＥ３００にとっての負荷を軽減することができる。即ち、ＳＲ４情報がＵＥ３００に提供されなければ、ＵＥ３００は、ピコセル１１で用いられるＣＣ間の同期関係を個別に全て検証することになり得る。一方、ＳＲ４情報がＵＥ３００に提供されれば、ＵＥ３００は、限られた同期関係のみを検証すればよい。そのため、ＳＲ４情報の提供により、ＵＥ３００にとっての負荷が軽減され得る。
【０１２２】
また、ＳＲ４情報が、マクロｅＮｏｄｅＢ２００により提供されず、ピコｅＮｏｄｅＢ１００により提供されることにより、ＳＲ４情報の提供のためにマクロセル２１の無線リソースが使用されない。即ち、ＳＲ４情報のピコｅＮｏｄｅＢ１００による提供によって、マクロセル２１の無線リソースの消費を抑えることが可能になる。
【０１２３】
−−ＳＲ５
第２に、例えば、ピコｅＮｏｄｅＢ１００Ａの通信制御部１５３は、ピコセル１１Ａで用いられる複数のＣＣのうちのどのＣＣが、マクロセル２１及び上記ピコセル１１Ａ以外の別のセルで用いられる１つ以上のＣＣのうちのどのＣＣと同期しているか、を示す同期関係情報を、ピコセル１１内で提供する。
【０１２４】
例えば、上記別のセルは、マクロセル２１と一部又は全体で重なる別のピコセル１１である。また、例えば、当該別のピコセル１１では、複数のＣＣが用いられる。即ち、ピコｅＮｏｄｅＢ１００Ａの通信制御部１５３は、ピコセル１１Ａで用いられる複数のＣＣのうちのどのＣＣが、ピコセル１１Ｂで用いられる複数のＣＣのうちのどのＣＣと同期しているか、を示す同期関係情報（即ち、「ＳＲ５情報」）を提供する。
【０１２５】
また、例えば、上記ＳＲ５情報は、マクロｅＮｏｄｅＢ２００によりマクロセル２１内で提供されない。
【０１２６】
このようなＳＲ５情報の提供により、マクロセル２１及びピコセル１１が配置される場合において、キャリアアグリゲーションにおけるＵＥ３００にとっての負荷を軽減することができる。例えば、２つのピコセル１１が隣接し、ＵＥ３００が当該２つのピコセル間の境界付近に位置する場合に、ＵＥ３００は、一方のピコセル１１のＣＣと他方のピコセル１１のＣＣとを同時に用いて無線通信を行うこともあり得る。また、例えば、２つのピコセル１１が互いに重なり、当該２つのピコセル１１間で別々のＣＣが用いられるような場合にも、ＵＥ３００は、一方のピコセル１１のＣＣと他方のピコセル１１のＣＣとを同時に用いて無線通信を行うこともあり得る。このような場合に、ＳＲ５情報がＵＥ３００に提供されなければ、ＵＥ３００は、一方のピコセル１１で用いられるＣＣと他方のピコセル１１で用いられるＣＣとの間の同期関係を個別に全て検証することになり得る。一方、ＳＲ５情報がＵＥ３００に提供されれば、ＵＥ３００は、限られた同期関係のみを検証すればよい。そのため、ＳＲ５情報の提供により、ＵＥ３００にとっての負荷が軽減され得る。
【０１２７】
また、ＳＲ５情報が、マクロｅＮｏｄｅＢ２００により提供されず、ピコｅＮｏｄｅＢ１００により提供されることにより、ＳＲ５情報の提供のためにマクロセル２１の無線リソースが使用されない。即ち、ＳＲ５情報のピコｅＮｏｄｅＢ１００による提供によって、マクロセル２１の無線リソースの消費を抑えることが可能になる。
【０１２８】
−−ＳＲ１、ＳＲ２、ＳＲ３
一方、例えば、マクロセル２１で用いられる１つ以上の別のＣＣのうちのどのＣＣがどのＣＣと同期しているかを示す同期関係情報（以下、「マクロＳＲ情報」と呼ぶ）は、マクロｅＮｏｄｅＢ２００によりマクロセル２１内で提供される。そして、例えば、当該マクロＳＲ情報は、ピコｅＮｏｄｅＢ１００（通信制御部１５３）によりピコセル１１内で提供されない。
【０１２９】
−−ＳＲ２、ＳＲ３
例えば、上記マクロＳＲ情報は、マクロセル２１で用いられる１つ以上の別のＣＣのうちのどのＣＣが、ピコセル１１で用いられる複数のＣＣのうちのどのＣＣと同期しているか、を示す。即ち、上記マクロＳＲ情報は、図１２に示される同期関係のうちの、ＳＲ２を示す同期関係情報（以下、「ＳＲ２情報」と呼ぶ）を含む。換言すると、ＳＲ２情報は、マクロｅＮｏｄｅＢ２００によりマクロセル２１内で提供され、ピコｅＮｏｄｅＢ１００Ａによりピコセル１１Ａ内では提供されない。
【０１３０】
なお、ＳＲ２情報と同様に、ＳＲ３を示す同期関係情報（以下、「ＳＲ３情報」と呼ぶ）も、マクロｅＮｏｄｅＢ２００によりマクロセル２１内で提供され得る。そして、ＳＲ３情報は、ピコｅＮｏｄｅＢ１００Ａによりピコセル１１Ａ内では提供されない。
【０１３１】
−−ＳＲ１
また、例えば、マクロセル２１で用いられる上記１つ以上の別のＣＣは、２つ以上のＣＣを含み、上記マクロＳＲ情報は、上記１つ以上の別のＣＣのうちのどのＣＣが互いに同期しているかを示す。即ち、上記マクロＳＲ情報は、図１２に示される同期関係のうちのＳＲ１を示す同期関係情報（以下、「ＳＲ１情報」と呼ぶ）を含む。即ち、ＳＲ１情報は、マクロｅＮｏｄｅＢ２００によりマクロセル２１内で提供され、ピコｅＮｏｄｅＢ１００によりピコセル１１内では提供されない。
【０１３２】
以上のように、各種同期関係情報は、ピコセル１１内で提供され、又は提供されない。以下、図１３を参照して、サービングピコｅＮｏｄｅＢ１００Ａにより提供される同期関係情報の種類、及び提供されない同期関係情報の種類を確認する。
【０１３３】
図１３は、サービングピコｅＮｏｄｅＢ１００Ａにより提供される同期関係情報の種類の例を説明するための説明図である。図１３に示されるように、例えば、サービングピコｅＮｏｄｅＢ１００Ａ（通信制御部１５３）は、ＳＲ４情報及びＳＲ５情報をピコセル１１Ａ内で提供する。一方、サービングピコｅＮｏｄｅＢ１００Ａ（通信制御部１５３）は、ＳＲ１情報、ＳＲ２情報及びＳＲ３情報をピコセル１１Ａ内で提供しない。
【０１３４】
−同期関係情報の提供手法
具体的な提供手法として、例えば、通信制御部１５３は、無線通信部１２０を介して、システム情報で同期関係情報を提供する。より具体的には、例えば、通信制御部１５３は、ＳＲ４情報及びＳＲ５情報を含むシステム情報を生成し、無線通信部１２０に当該システム情報をピコセル１１内で送信させる。なお、通信制御部１５３は、ＳＲ４情報及びＳＲ５情報をＲＲＣシグナリングでピコセル１１内のＵＥに送信してもよい。
【０１３５】
−同期関係情報の提供の順序
また、例えば、通信制御部１５３は、２種類以上の同期関係情報の各々を、種類の重要度に応じた順序で提供する。当該２種類以上の同期関係情報は、ＳＲ４情報を含む。また、当該２種類以上の同期関係情報は、ＳＲ５情報を含む。
【０１３６】
例えば、ＳＲ４情報及びＳＲ５情報がシステム情報で送信される。この場合に、通信制御部１５３は、ＳＲ４情報の重要度及びＳＲ５情報の重要度に応じた順序でＳＲ４情報及びＳＲ５情報がシステム情報内で並ぶように、システム情報を生成する。一例として、ＳＲ４情報の重要度が、ＳＲ５情報の重要度よりも高い。この場合に、通信制御部１５３は、ＳＲ４情報、ＳＲ５情報という順序で並ぶように、システム情報を生成する。そして、通信制御部１５３は、無線通信部１２０に、当該システム情報を送信させる。
【０１３７】
このように重要度に応じた順序で各種同期関係情報が提供されることにより、ＵＥ３００は重要度の高い同期関係から順に検証することが可能になる。その結果、ＵＥ３００が同期をとるための処理が軽減され得る。
【０１３８】
なお、ＳＲ４情報及びＳＲ５情報がＲＲＣシグナリングで送信されてもよい。そして、ＳＲ４情報及びＳＲ５情報が一度に送信される場合には、システム情報の例と同様に、送信情報内において重要度に応じた順序でＳＲ４情報及びＳＲ５情報が並べられてもよい。一方、ＳＲ４情報及びＳＲ５情報が別々に送信される場合には、ＳＲ４情報の重要度及びＳＲ５情報の重要度に応じた順序で、ＳＲ４情報及びＳＲ５情報が、ＲＲＣシグナリングで提供されてもよい。
【０１３９】
−提供箇所情報の提供
また、例えば、通信制御部１５３は、２種類以上の同期関係情報の各々がマクロセル２１及びピコセル１１のうちのいずれで提供されるかを示す情報（以下、「提供箇所情報」と呼ぶ）を、ピコセル１１内で提供する。
【０１４０】
具体的には、例えば、ＳＲ４情報及びＳＲ５情報がピコセル１１内で送信され、ＳＲ１情報、ＳＲ２情報及びＳＲ３情報がマクロセル２１内で送信されることを示す提供箇所情報が、通信制御部１５３により提供される。
【０１４１】
具体的な提供手法として、例えば、ＵＥ３００がピコセル１１においてＲＲＣ＿Ｃｏｎｎｅｃｔｅｄになった際に、通信制御部１５３は、無線通信部１２０を介して、ＲＲＣシグナリングで、ＵＥ３００に提供箇所情報を提供する。なお、提供箇所情報は、システム情報で提供されてもよい。
【０１４２】
このような提供箇所情報の提供により、ＵＥ３００は、各種同期関係情報をマクロセル２１又はピコセル１１のどちらで取得すればよいかを知得することがでる。そのため、ＵＥ３００は、マクロセル２１及びピコセル１１の両方で同期関係情報を探す必要がなくなる。また、例えば、必要な同期関係情報がピコセル１１及びマクロセル２１の一方のセルで提供される場合に、当該一方のセルでのみ同期関係情報を取得すればよいので、同期関係情報の取得のための処理が軽減される。
【０１４３】
＜４．２．マクロｅＮｏｄｅＢの構成＞
次に、図１４及び図１５を参照して、本実施形態に係るマクロｅＮｏｄｅＢ２００の構成を説明する。図１４は、本実施形態に係るマクロｅＮｏｄｅＢ２００の構成の一例を示すブロック図である。図１４を参照すると、マクロｅＮｏｄｅＢ２００は、アンテナ部２１０、無線通信部２２０、ネットワーク通信部２３０、記憶部２４０及び制御部２５０を備える。
（アンテナ部２１０）
アンテナ部２１０は、無線信号を受信し、受信された無線信号を無線通信部２２０へ出力する。また、アンテナ部２１０は、無線通信部２２０により出力された送信信号を送信する。
【０１４４】
（無線通信部２２０）
無線通信部２２０は、マクロセル２１内に位置するＵＥ３００との無線通信を行う。例えば、無線通信部２２０は、複数のＣＣを同時に使用して無線通信を行う。例えば、当該複数のＣＣは、ピコセル１１で用いられるＣＣとは別の周波数帯域である。また、例えば、当該複数のＣＣは、１つ以上のＮＣＴを含む。
【０１４５】
また、例えば、無線通信部２２０は、複数のＣＣを同時に使用して、１つのＵＥ３００と無線通信し得る。即ち、マクロｅＮｏｄｅＢ２００は、キャリアアグリゲーションをサポートする。
【０１４６】
（ネットワーク通信部２３０）
ネットワーク通信部２３０は、他の通信ノードと通信する。例えば、ネットワーク通信部２３０は、ピコｅＮｏｄｅＢ１００、他のマクロｅＮｏｄｅＢ２００、ＭＭＥ等と通信する。
【０１４７】
（記憶部２４０）
記憶部２４０は、マクロｅＮｏｄｅＢ２００の動作のためのプログラム及びデータを記憶する。
【０１４８】
例えば、記憶部２４０は、無線通信に用いられる複数のＣＣのうちのどのＣＣが互いに同期しているかを示す同期関係情報を記憶する。
【０１４９】
（制御部２５０）
制御部２５０は、マクロｅＮｏｄｅＢ２００の様々な機能を提供する。
【０１５０】
制御部２５０は、同期関係情報取得部２５１及び通信制御部２５３を含む。
【０１５１】
（同期関係情報取得部２５１）
同期関係情報取得部２５１は、複数のＣＣのうちのどのＣＣが互いに同期しているか（即ち、ＣＣ間の同期関係）を示す同期関係情報を取得する。
【０１５２】
例えば、同期関係情報取得部２５１は、マクロセル２１で用いられる１つ以上のＣＣのうちのどのＣＣがどのＣＣと同期しているかを示す同期関係情報（即ち、マクロＳＲ情報）を取得する。
【０１５３】
−−ＳＲ２、ＳＲ３
例えば、上記マクロＳＲ情報は、マクロセル２１で用いられる１つ以上の別のＣＣのうちのどのＣＣが、ピコセル１１で用いられる複数のＣＣのうちのどのＣＣと同期しているか、を示す。即ち、上記マクロＳＲ情報は、図１２に示される同期関係のうちの、ＳＲ２を示す同期関係情報（即ち、ＳＲ２情報）、及びＳＲ３を示す同期関係情報（即ち、ＳＲ３情報）を含む。
【０１５４】
より具体的には、例えば、同期関係情報取得部２５１は、マクロセル２１のＣＣ１及びＣＣ２のうちのどのＣＣが、１つ以上のピコセル１１のＣＣ３及びＣＣ４のうちのどのＣＣと同期しているかを示す同期関係情報（即ち、ＳＲ２情報及びＳＲ３情報）を取得する。一例として、マクロセル２１のＣＣ１がピコセル１１ＡのＣＣ３と同期している場合には、ＳＲ２情報は、マクロセル２１のＣＣ１がピコセル１１ＡのＣＣ３と同期していることを示す。
【０１５５】
−−ＳＲ１
また、例えば、マクロセル２１で用いられる上記１つ以上のＣＣは、２つ以上のＣＣを含み、上記マクロＳＲ情報は、上記１つ以上の別のＣＣのうちのどのＣＣが互いに同期しているかを示す。即ち、上記マクロＳＲ情報は、図１２に示される同期関係のうちのＳＲ１を示す同期関係情報（以下、「ＳＲ１情報」と呼ぶ）を含む。
【０１５６】
より具体的には、例えば、同期関係情報取得部２５１は、マクロセル２１のＣＣ１及びＣＣ２のうちのどのＣＣが互いに同期しているかを示す同期関係情報（即ち、ＳＲ１情報）を取得する。一例として、マクロセル２１のＣＣ１及びＣＣ２が互いに同期している場合には、上記ＳＲ１情報は、マクロセル２１のＣＣ１及びＣＣ２が互いに同期していることを示す。
【０１５７】
例えば以上のように、同期関係情報取得部２５１は、同期関係情報としてＳＲ１情報、ＳＲ２情報及びＳＲ３情報を取得する。なお、ＳＲ１情報、ＳＲ２情報及びＳＲ３情報は、記憶部２４０に記憶され、同期関係情報取得部２５１は、記憶部２４０から当該ＳＲ１情報、当該ＳＲ２情報、及び当該ＳＲ３情報を取得する。
【０１５８】
（通信制御部２５３）
通信制御部２５３は、マクロセル２１での無線通信を制御する。例えば、通信制御部２５３は、マクロセル２１内に位置するＵＥ３００に制御情報を提供する。
【０１５９】
−同期関係情報の提供
とりわけ本実施形態では、通信制御部２５３は、複数のＣＣ間での同期関係を示す同期関係情報をマクロセル２１内で提供する。換言すると、通信制御部２５３は、マクロセル２１内に位置するＵＥ３００に上記同期関係情報を提供する。
【０１６０】
−−ＳＲ１、ＳＲ２、ＳＲ３
例えば、通信制御部２５３は、マクロセル２１で用いられる１つ以上のＣＣのうちのどのＣＣがどのＣＣと同期しているかを示す同期関係情報（即ち、マクロＳＲ情報）をマクロセル２１内で提供する。
【０１６１】
また、例えば、マクロセルＳＲ情報は、ピコｅＮｏｄｅＢ１００によりピコセル１１内で提供されない。
【０１６２】
−−ＳＲ２、ＳＲ３
上述したように、例えば、上記マクロＳＲ情報は、マクロセル２１で用いられる１つ以上の別のＣＣのうちのどのＣＣが、ピコセル１１で用いられる複数のＣＣのうちのどのＣＣと同期しているか、を示す。即ち、上記マクロＳＲ情報は、ＳＲ２情報及びＳＲ３情報を含む。そのため、通信制御部２５３は、ＳＲ２情報及びＳＲ３情報をマクロセル２１内で提供する。
【０１６３】
このようなＳＲ２情報及びＳＲ３情報の提供により、マクロセル２１及びピコセル１１が配置される場合において、キャリアアグリゲーションにおけるＵＥ３００にとっての負荷を軽減することができる。例えば、ＵＥ３００は、ピコセル１１のＣＣとマクロセル２１のＣＣとを同時に用いて無線通信を行うこともあり得る。このような場合に、ＳＲ２情報及びＳＲ３情報がＵＥ３００に提供されなければ、ＵＥ３００は、ピコセル１１で用いられるＣＣとマクロセル２１で用いられるＣＣとの間の同期関係を個別に全て検証することになり得る。一方、ＳＲ２情報及びＳＲ３情報がＵＥ３００に提供されれば、ＵＥ３００は、限られた同期関係のみを検証すればよい。そのため、ＳＲ２情報及びＳＲ３情報の提供により、ＵＥ３００にとっての負荷が軽減され得る。
【０１６４】
また、ＳＲ２情報及びＳＲ３情報が、マクロｅＮｏｄｅＢ２００により提供されることにより、ＵＥ３００は、ピコセル１１に入った際にピコセル１１のＣＣのうちのどのＣＣを用いることが同期結果の利用の観点から望ましいかを、ピコセル１１に入る前により確実に知得できる。その結果、ＵＥ３００は、ピコセル１１に入ると、ピコセル１１のＣＣのうちの、同期結果の利用の観点から望ましいＣＣ（例えば、使用中のマクロセル２１のＣＣと同期しているＣＣ、ピコセル１１の別のＣＣと同期しているＣＣ、等）を、より素早く用いることが可能になる。
【０１６５】
具体的には、例えば、ピコｅＮｏｄｅＢ１００がＳＲ２情報をシステム情報で提供すると仮定する。この場合には、ＵＥ３００は、同期結果の利用の観点から望ましいＣＣを用いるためには、ピコｅＮｏｄｅＢ１００からのシステム情報を受信することになる。そして、ＵＥ３００は、システム情報の受信後、ＳＲ２情報を取得して確認した後に、ようやく、同期結果の利用の観点から望ましいＣＣを用いることになる。そのため、ＵＥ３００は、ピコセル１１に入る際に、ピコセル１１のＣＣのうちの、同期結果の利用の観点から望ましいＣＣを、最初から用いようとすると、ピコｅＮｏｄｅＢ１００に接続することができない可能性がある。とりわけ、ＵＥ３００は、高速で移動している場合に、ピコセル１１内に入ったにも関わらず、ピコｅＮｏｄｅＢ１００に接続できていない、という事態も発生し得る。一方、上述したように、マクロｅＮｏｄｅＢ２００がＳＲ２情報及びＳＲ３情報を提供する場合には、ＵＥ３００は、ピコセル１１外でマクロｅＮｏｄｅＢ２００からＳＲ２情報を予め取得できる。そのため、ＵＥ３００は、ピコｅＮｏｄｅＢ１００からシステム情報をあらためて受信することなく、同期結果の利用の観点から望ましいＣＣを用いてピコｅＮｏｄｅＢ１００に接続できる。即ち、ＵＥ３００は、同期結果の利用の観点から望ましいＣＣをより素早く用いることができる。
【０１６６】
また、例えば、ピコｅＮｏｄｅＢ１００がＳＲ２情報をＲＲＣシグナリングで提供すると仮定する。この場合には、ＵＥ３００は、同期結果の利用の観点から望ましいＣＣがどのＣＣであるかを知得しないまま、いずれかのＣＣを用いてピコｅＮｏｄｅＢ１００に接続することになる。そのため、同期結果の利用の観点から望ましいＣＣを用いるためには、ＵＥ３００は、接続後にＲＲＣシグナリングからＲ２情報を取得し、その後、同期結果の利用の観点から望ましいＣＣをあらためて用いることになり得る。一方、上述したように、マクロｅＮｏｄｅＢ２００がＳＲ２情報を提供する場合には、ＵＥ３００は、最初から、同期結果の利用の観点から望ましいＣＣを用いて、ピコｅＮｏｄｅＢ１００に接続できる。即ち、ＵＥ３００は、同期結果の利用の観点から望ましいＣＣをより素早く用いることができる。
【０１６７】
−−ＳＲ１
上述したように、例えば、上記マクロＳＲ情報は、マクロセル２１で用いられる１つ以上の別のＣＣのうちのどのＣＣが互いに同期しているかを示す。即ち、上記マクロＳＲ情報は、ＳＲ１情報を含む。そのため、通信制御部２５３は、ＳＲ１情報をマクロセル２１内で提供する。
【０１６８】
このようなＳＲ１情報の提供により、マクロセル２１及びピコセル１１が配置される場合において、キャリアアグリゲーションにおけるＵＥ３００にとっての負荷を軽減することができる。即ち、ＳＲ１情報がＵＥ３００に提供されなければ、ＵＥ３００は、マクロセル２１で用いられるＣＣ間の同期関係を個別に全て検証することになり得る。一方、ＳＲ１情報がＵＥ３００に提供されれば、ＵＥ３００は、限られた同期関係のみを検証すればよい。そのため、ＳＲ１情報の提供により、ＵＥ３００にとっての負荷が軽減され得る。
【０１６９】
また、ＳＲ１情報が、マクロｅＮｏｄｅＢ２００により提供されることにより、ＵＥ３００は、いずれかのピコセル１１内に位置しなくても、ＳＲ１情報を取得することが可能になる。よって、ＵＥ３００の位置によらず、ＵＥ３００にとっての負荷が軽減され得る。
【０１７０】
−−ＳＲ４、ＳＲ５
また、通信制御部２５３によりマクロセル２１内で提供される上記同期関係情報は、ピコセル１１で用いられる複数のＣＣのうちのどのＣＣが互いに同期しているかを示す同期関係情報（即ち、ＳＲ４情報）を含まない。即ち、通信制御部２５３は、ＳＲ４情報をマクロセル２１内で提供しない。
【０１７１】
また、例えば、通信制御部２５３によりマクロセル２１内で提供される上記同期関係情報は、ピコセル１１で用いられる複数のＣＣのうちのどのＣＣが、別のピコセル１１で用いられる１つ以上のＣＣのうちのどのＣＣと同期しているか、を示す同期関係情報（即ち、ＳＲ５情報）を含まない。即ち、通信制御部２５３は、ＳＲ５情報をマクロセル２１内で提供しない。
【０１７２】
以上のように、各種同期関係情報は、マクロセル２１内で提供され、又は提供されない。以下、図１５を参照して、サービングマクロｅＮｏｄｅＢ２００により提供される同期関係情報の種類、及び提供されない同期関係情報の種類を確認する。
【０１７３】
図１５は、サービングマクロｅＮｏｄｅＢ２００により提供される同期関係情報の種類の例を説明するための説明図である。図１５に示されるように、例えば、サービングマクロｅＮｏｄｅＢ２００（通信制御部２５３）は、ＳＲ１情報、ＳＲ２情報及びＳＲ３情報をマクロセル２１内で提供する。一方、サービングマクロｅＮｏｄｅＢ２００（通信制御部２５３）は、ＳＲ４情報及びＳＲ５情報をマクロセル２１内で提供しない。
【０１７４】
−同期関係情報の提供手法
具体的な提供手法として、例えば、通信制御部２５３は、無線通信部２２０を介して、システム情報で同期関係情報を提供する。より具体的には、例えば、通信制御部２５３は、ＳＲ１情報、ＳＲ２情報及びＳＲ３情報を含むシステム情報を生成し、無線通信部２２０に当該システム情報をマクロセル２１内で送信させる。なお、通信制御部２５３は、ＳＲ１情報、ＳＲ２情報及びＳＲ３情報をＲＲＣシグナリングでピコセル１１内のＵＥ３００に送信してもよい。
【０１７５】
−同期関係情報の提供の順序
また、例えば、通信制御部２５３は、２種類以上の同期関係情報の各々を、種類の重要度に応じた順序で提供する。例えば、当該２種類以上の同期関係情報は、ＳＲ１情報、ＳＲ２情報及びＳＲ３情報を含む。具体的な提供手法については、ピコｅＮｏｄｅＢ１００に関連して説明したとおりである。
【０１７６】
−提供箇所情報の提供
また、例えば、通信制御部２５３は、２種類以上の同期関係情報の各々がマクロセル２１及びピコセル１１のうちのいずれで提供されるかを示す情報（即ち、提供箇所情報）を、マクロセル２１内で提供する。提供箇所情報の具体的な内容、及び具体的な提供手法については、ピコｅＮｏｄｅＢ１００に関連して説明したとおりである。
【０１７７】
＜４．３．ＵＥの構成＞
まず、図１６を参照して、本実施形態に係るＵＥ３００の構成を説明する。図１６は、本実施形態に係るＵＥ３００の構成の一例を示すブロック図である。図１６を参照すると、ＵＥ３００は、アンテナ部３１０、無線通信部３２０、記憶部３３０及び制御部３４０を備える。
【０１７８】
（アンテナ部３１０）
アンテナ部３１０は、無線信号を受信し、受信された無線信号を無線通信部３２０へ出力する。また、アンテナ部３１０は、無線通信部３２０により出力された送信信号を送信する。
【０１７９】
（無線通信部３２０）
無線通信部３２０は、ピコセル１１及び／又はマクロセル２１内で無線通信を行う。即ち、無線通信部３２０は、ピコｅＮｏｄｅＢ１００及び／又はマクロｅＮｏｄｅＢ２００との無線通信を行う。また、例えば、無線通信部３２０は、複数のＣＣを同時に使用できる。具体的には、例えば、無線通信部３２０は、複数のＣＣを同時に使用して、ピコｅＮｏｄｅＢ１００及び／又はマクロｅＮｏｄｅＢ２００と無線通信できる。即ち、ＵＥ３００は、キャリアアグリゲーションをサポートする。
【０１８０】
（記憶部３３０）
記憶部３３０は、ＵＥ３００の動作のためのプログラム及びデータを記憶する。
【０１８１】
（制御部３４０）
制御部３４０は、ＵＥ３００の様々な機能を提供する。
【０１８２】
制御部３４０は、同期関係情報取得部３４１及び通信制御部３４３を含む。
【０１８３】
（同期関係情報取得部３４１）
−同期関係情報の取得
同期関係情報取得部３４１は、複数の周波数帯域のうちのどの周波数帯域が互いに同期しているかを示す同期関係情報を取得する。
【０１８４】
−−ＳＲ４
とりわけ本実施形態では、同期関係情報取得部３４１、ピコセル１１で用いられる複数のＣＣのうちのどのＣＣが互いに同期しているかを示す同期関係情報（即ち、ＳＲ４情報）を、ピコｅＮｏｄｅＢ１００によりピコセル１１内で提供される情報から取得する。また、同期関係情報取得部３４１、上記ＳＲ４情報を、マクロｅＮｏｄｅＢ２００によりマクロセル２１内で提供される情報から取得しない。
【０１８５】
−−ＳＲ５
また、例えば、同期関係情報取得部３４１は、ＳＲ５情報を、ピコｅＮｏｄｅＢ１００により提供される情報から取得し、ＳＲ５情報を、マクロｅＮｏｄｅＢ２００により提供される情報から取得しない。
【０１８６】
−−ＳＲ１、ＳＲ２、ＳＲ３
また、例えば、同期関係情報取得部３４１は、ＳＲ１情報、ＳＲ２情報及びＳＲ３情報を、マクロｅＮｏｄｅＢ２００により提供される情報から取得し、ＳＲ１情報、ＳＲ２情報及びＳＲ３情報を、ピコｅＮｏｄｅＢ１００により提供される情報から取得しない。
【０１８７】
−同期関係情報の取得手法
具体的な提供手法として、例えば、同期関係情報取得部３４１は、通信部３２０を介して、マクロｅＮｏｄｅＢ２００又はピコｅＮｏｄｅＢ１００により送信されるシステム情報から各種同期関係情報を取得する。なお、同期関係情報取得部３４１は、無線通信部３２０を介して、ＲＲＣシグナリングから各種同期関係情報を取得してもよい。
【０１８８】
−提供箇所情報の取得
また、例えば、同期関係情報取得部３４１は、２種類以上の同期関係情報の各々がマクロセル２１及びピコセル１１のうちのいずれで提供されるかを示す情報（即ち、提供箇所情報）を取得する。
【０１８９】
具体的な取得手法として、例えば、ＵＥ３００がピコセル１１又はマクロセル２１においてＲＲＣ＿Ｃｏｎｎｅｃｔｅｄになった際に、同期関係情報取得部３４１は、無線通信部３２０を介して、ＲＲＣシグナリングで提供箇所情報を取得する。なお、提供箇所情報は、システム情報から取得されてもよい。
【０１９０】
また、例えば、同期関係情報取得部３４１は、提供箇所情報から、マクロｅＮｏｄｅＢ２００により提供される同期関係情報の種類を知得する。また、同期関係情報取得部３４１は、提供箇所情報から、ピコｅＮｏｄｅＢ１００により提供される同期関係情報の種類も知得する。そして、同期関係情報取得部３４１は、取得する同期関係情報の種類を決定し、決定された種類の同期関係情報を上述したように取得する。
【０１９１】
（通信制御部３４３）
通信制御部３４３は、ＵＥ３００による無線通信を制御する。
【０１９２】
例えば、通信制御部３４３は、取得された同期関係情報に基づいて、同期手続きを行う。より具体的には、例えば、通信制御部３４３は、取得された同期関係情報に基づいて、同期結果の利用の観点から望ましいＣＣにおいて同期をとり、ＣＣ間での同期関係を検証する。そして、互いに同期している２つ以上のＣＣがある場合には、通信制御部３４３は、当該２つ以上のＣＣのうちの１つのＣＣにおけるＵＥ３００の同期結果を、当該２つ以上のＣＣのうちの他のＣＣに利用する。
【０１９３】
＜＜５．処理の流れ＞＞
続いて、図１７〜図２０を参照して、本実施形態に係る通信制御処理の例を説明する。
【０１９４】
（提供箇所情報の提供）
図１７は、本実施形態に係るピコｅＮｏｄｅＢ１００側の第１の通信制御処理の一例を説明するための説明図である。当該第１の通信制御処理は、提供箇所情報を提供するための処理である。
【０１９５】
ステップＳ４１０で、ピコｅＮｏｄｅＢ１００の通信制御部１５３は、ピコセル１１においてＲＲＣ＿ＣｏｎｎｅｃｔｅｄになったＵＥ３００があったかを判定する。このようなＵＥ３００があった場合には、処理はステップＳ４２０へ進む。そうでなければ、処理はステップＳ４１０を繰り返す。
【０１９６】
ステップＳ４２０で、ピコｅＮｏｄｅＢ１００の通信制御部１５３は、無線通信部１２０を介して、ピコセル１１においてＲＲＣ＿ＣｏｎｎｅｃｔｅｄになったＵＥ３００に、ＲＲＣシグナリングで提供箇所情報を提供する。そして、処理はステップＳ４１０へ戻る。
【０１９７】
なお、当該第１の通信制御処理は、マクロｅＮｏｄｅＢ２００においても同様に行われ得る。
【０１９８】
（ピコｅＮｏｄｅＢによる同期関係情報の提供）
図１８は、本実施形態に係るピコｅＮｏｄｅＢ１００側の第２の通信制御処理の一例を説明するための説明図である。当該第２の通信制御処理は、同期関係情報を提供するための処理である。
【０１９９】
ステップＳ５１０で、同期関係情報取得部１５１は、ピコｅＮｏｄｅＢ１００が提供する同期関係情報を取得する。
【０２００】
ステップＳ５２０で、通信制御部１５３は、無線通信部１２０を介して、システム情報で上記同期関係情報を提供する。そして、処理はステップＳ５１０へ戻る。
【０２０１】
（マクロｅＮｏｄｅＢによる同期関係情報の提供）
図１９は、本実施形態に係るマクロｅＮｏｄｅＢ２００側の通信制御処理の一例を説明するための説明図である。当該通信制御処理は、同期関係情報を提供するための処理である。
【０２０２】
ステップＳ６１０で、同期関係情報取得部２５１は、マクロｅＮｏｄｅＢ２００が提供する同期関係情報を取得する。
【０２０３】
ステップＳ６２０で、通信制御部２５３は、無線通信部２２０を介して、システム情報で上記同期関係情報を提供する。そして、処理はステップＳ６１０へ戻る。
【０２０４】
（ＵＥによる通信制御処理）
図２０は、本実施形態に係るＵＥ３００側の通信制御処理の一例を説明するための説明図である。当該通信制御処理は、例えば、ＵＥ３００がピコセル１１又はマクロセル２１においてＲＲＣ＿Ｃｏｎｎｅｃｔｅｄになると開始する。
【０２０５】
まず、ステップＳ７１０で、同期関係情報取得部３４１は、無線通信部３２０を介して、ＲＲＣシグナリングから提供箇所情報を取得する。
【０２０６】
そして、ステップＳ７２０で、同期関係情報取得部３４１は、提供箇所情報から、マクロｅＮｏｄｅＢ２００により提供される同期関係情報の種類を知得する。
【０２０７】
また、ステップＳ７３０で、同期関係情報取得部３４１は、提供箇所情報から、ピコｅＮｏｄｅＢ１００により提供される同期関係情報の種類も知得する。
【０２０８】
そして、ステップＳ７４０で、同期関係情報取得部３４１は、取得する同期関係情報の種類を決定する。
【０２０９】
その後、ステップＳ７５０で、同期関係情報取得部３４１は、通信部３２０を介して、決定された種類の同期関係情報を、マクロｅＮｏｄｅＢ２００又はピコｅＮｏｄｅＢ１００により送信されるシステム情報から取得する。
【０２１０】
そして、ステップＳ７６０で、通信制御部３４３は、取得された同期関係情報に基づいて、同期手続きを行う。そして、処理は終了する。
【０２１１】
＜＜６．第１の変形例＞＞
続いて、図２１及び図２２を参照して、本実施形態の第１の変形例を説明する。
【０２１２】
上述した本実施形態の例では、マクロセル２１で用いられる１つ以上のＣＣのうちのどのＣＣが、ピコセル１１で用いられる複数のＣＣのうちのどのＣＣと同期しているか、を示す同期関係情報（即ち、ＳＲ２情報及びＳＲ３情報）は、マクロｅＮｏｄｅＢ２００により提供される。
【０２１３】
しかし、マクロｅＮｏｄｅＢ２００により上記同期関係情報が提供されると、マクロセル２１における貴重な無線リソースを消費してしまうことになる。
【０２１４】
そこで、本実施形態の第１の変形例は、マクロセルの無線リソースの消費をさらに抑えることを可能にする。具体的には、第１の変形例では、ＳＲ２情報及びＳＲ３情報は、マクロｅＮｏｄｅＢ２００により送信される代わりに、ピコｅＮｏｄｅＢ１００により送信される。
【０２１５】
（ピコｅＮｏｄｅＢ１００−同期関係情報取得部１５１）
−同期関係情報の取得
ピコｅＮｏｄｅＢ１００Ａの同期関係情報取得部１５１は、マクロセル２１で用いられる１つ以上のＣＣのうちのどのＣＣが、ピコセル１１Ａで用いられる複数のＣＣのうちのどのＣＣと同期しているか、を示す同期関係情報（即ち、ＳＲ２情報）を取得する。
【０２１６】
また、例えば、ピコｅＮｏｄｅＢ１００Ａの同期関係情報取得部１５１は、マクロセル２１で用いられる１つ以上のＣＣのうちのどのＣＣが、別のピコセル１１Ｂで用いられる複数のＣＣのうちのどのＣＣと同期しているか、を示す同期関係情報（即ち、ＳＲ３情報）を取得する。
【０２１７】
（ピコｅＮｏｄｅＢ１００−通信制御部１５３）
−同期関係情報の提供
−−ＳＲ２
通信制御部１５３は、ＳＲ２情報をピコセル１１内で提供する。また、ＳＲ２情報は、マクロｅＮｏｄｅＢ２００によりマクロセル２１内で提供されない。即ち、マクロＳＲ情報のうちのＳＲ２情報は、マクロｅＮｏｄｅＢ２００ではなく、ピコｅＮｏｄｅＢ１００により提供される。
【０２１８】
これにより、ＳＲ２情報の提供のためにマクロセル２１の無線リソースが使用されない。即ち、ＳＲ２情報のピコｅＮｏｄｅＢ１００による提供によって、マクロセル２１の無線リソースの消費を抑えることが可能になる。
【０２１９】
−−ＳＲ３
また、通信制御部１５３は、ＳＲ３情報をピコセル１１内で提供する。また、ＳＲ３情報は、マクロｅＮｏｄｅＢ２００によりマクロセル２１内で提供されない。即ち、マクロＳＲ情報のうちのＳＲ３情報は、マクロｅＮｏｄｅＢ２００ではなく、ピコｅＮｏｄｅＢ１００により提供される。
【０２２０】
これにより、ＳＲ３情報の提供のためにマクロセル２１の無線リソースが使用されない。即ち、ＳＲ３情報のピコｅＮｏｄｅＢ１００による提供によって、マクロセル２１の無線リソースの消費を抑えることが可能になる。
【０２２１】
また、ピコｅＮｏｄｅＢ１００によるＳＲ３情報の提供により、ＵＥ３００は、サービングピコセル１１Ａからピコセル１１Ｂへ移動する場合に、ピコセル１１Ｂに入る前に、ピコセル１１ＡにおいてＳＲ３情報を予め取得できる。よって、ＵＥ３００は、ピコセル１１Ｂで用いられるＣＣのうちの、同期結果の利用の観点から望ましいＣＣを、より素早く用いることができる。
【０２２２】
−−ＳＲ１
また、例えば、マクロセル２１で用いられる複数のＣＣのうちのどのＣＣが互いに同期しているかを示す同期関係情報（即ち、ＳＲ１情報）は、上述した本実施形態の例と同様に、マクロｅＮｏｄｅＢ２００により提供される。
【０２２３】
以上のように、各種同期関係情報は、ピコセル１１内で提供され、又は提供されない。以下、図２１を参照して、第１の変形例においてサービングピコｅＮｏｄｅＢ１００Ａにより提供される同期関係情報の種類、及び提供されない同期関係情報の種類を確認する。
【０２２４】
図２１は、本実施形態の第１の変形例においてサービングピコｅＮｏｄｅＢ１００Ａにより提供される同期関係情報の種類の例を説明するための説明図である。図２１に示されるように、例えば、サービングピコｅＮｏｄｅＢ１００Ａ（通信制御部１５３）は、ＳＲ２情報、ＳＲ３情報、ＳＲ４情報及びＳＲ５情報をピコセル１１Ａ内で提供する。一方、サービングピコｅＮｏｄｅＢ１００Ａ（通信制御部１５３）は、ＳＲ１情報をピコセル１１Ａ内で提供しない。
【０２２５】
（マクロｅＮｏｄｅＢ２００−同期関係情報取得部２５１）
マクロｅＮｏｄｅＢ２００の同期関係情報取得部２５１は、マクロＳＲ情報のうちのＳＲ２情報を取得しない。また、例えば、同期関係情報取得部２５１は、マクロＳＲ情報のうちのＳＲ３情報も取得しない。一方、例えば、同期関係情報取得部２５１は、マクロＳＲ情報のうちのＳＲ１情報を取得する。
【０２２６】
（マクロｅＮｏｄｅＢ２００−通信制御部２５３）
−同期関係情報の提供
通信制御部２５３は、マクロＳＲ情報のうちのＳＲ２情報をマクロセル２１内で提供しない。また、例えば、通信制御部２５３は、マクロＳＲ情報のうちのＳＲ３情報をマクロセル２１内で提供しない。一方、例えば、通信制御部２５３は、マクロＳＲ情報のうちのＳＲ１情報をマクロセル２１内で提供する。
【０２２７】
以上のように、各種同期関係情報は、マクロセル２１内で提供され、又は提供されない。以下、図２２を参照して、第１の変形例においてサービングマクロｅＮｏｄｅＢ２００により提供される同期関係情報の種類、及び提供されない同期関係情報の種類を確認する。
【０２２８】
図２２は、本実施形態の第１の変形例においてサービングマクロｅＮｏｄｅＢ２００により提供される同期関係情報の種類の例を説明するための説明図である。図２２に示されるように、例えば、サービングマクロｅＮｏｄｅＢ２００（通信制御部２５３）は、ＳＲ１情報をマクロセル２１内で提供する。一方、サービングマクロｅＮｏｄｅＢ２００（通信制御部２５３）は、ＳＲ２情報、ＳＲ３情報、ＳＲ４情報及びＳＲ５情報をマクロセル２１内で提供しない。
【０２２９】
以上、本実施形態の第１の変形例を説明した。当該第１の変形例によれば、ＳＲ２情報及びＳＲ３情報がマクロｅＮｏｄｅＢ２００により送信されない。これにより、マクロセルの無線リソースの消費をさらに抑えることを可能になる。
【０２３０】
＜＜７．第２の変形例＞＞
続いて、図２３〜図２５を参照して、本実施形態の第２の変形例を説明する。
【０２３１】
上述した本実施形態の例では、サービングマクロセル２１及びそれに重なるピコセル１１で用いられるＣＣに関連する同期関係情報が提供される。
【０２３２】
しかし、この場合には、ＵＥ３００は、隣接するマクロセル２１へのハンドオーバの後も、同期結果の利用の観点から望ましいＣＣを用いるためには、上記ハンドオーバの後に上記隣接するマクロセル２１における同期関係情報をあらためて取得することになる。その結果、同期結果の利用の観点から望ましいＣＣを用いるまでに多くの時間を要し得る。
【０２３３】
そこで、本実施形態の第２の変形例は、隣接するマクロセル２１へのハンドオーバ後も、同期結果の利用の観点から望ましいＣＣをより素早く用いることを可能にする。具体的には、第２の変形例では、サービングマクロセル２１に隣接する別のマクロセル２１に関連する同期関係情報がさらに提供される。
【０２３４】
（ＵＥに提供され得る提供される同期関係情報）
まず、本実施形態の第２の変形例において、あるＵＥ３００にとってのサービングピコｅＮｏｄｅＢ１００Ａ又はサービングマクロｅＮｏｄｅＢ２００により提供され得る同期関係情報の種類を、図２３を参照して説明する。
【０２３５】
図２３は、本実施形態の第２の変形例において提供され得る同期関係情報の種類の例を説明するための説明図である。図２３を参照すると、ピコｅＮｏｄｅＢ１００及びピコセル１１、並びに、マクロｅＮｏｄｅＢ２００及びマクロセル２１が、示されている。マクロセル２１Ａとマクロセル２１Ｂとは、互いに隣接する。また、この例では、セル１１Ａ内にＵＥ３００が位置し、ピコセル１１ＡがＵＥ３００にとってのサービングピコセルであり、マクロセル２１ＡがＵＥ３００にとってのサービングマクロセルである。また、図２３には、各マクロセル２１において用いられる２つのＣＣ（ＣＣ１及びＣＣ２）、並びに、各ピコセル１１で用いられる２つのＣＣ（ＣＣ３及びＣＣ４）が示されている。
【０２３６】
第２の変形例によれば、このようなセルの配置では、例えば以下のような種類の同期関係（ＳＲ）を示す情報が、ピコｅＮｏｄｅＢ１００Ａ又はマクロｅＮｏｄｅＢ２００Ａにより提供され得る。
ＳＲ１：サービングマクロセル２１ＡのＣＣ間の同期関係
ＳＲ２：サービングマクロセル２１ＡのＣＣとサービングピコセル１１ＡのＣＣとの間の同期関係
ＳＲ３：サービングマクロセル２１ＡのＣＣと、サービングマクロセル２１Ａと重なる他のピコセル１１ＢのＣＣとの間の同期関係
ＳＲ４：サービングピコセル１１ＡのＣＣ間の同期関係
ＳＲ５：サービングピコセルのＣＣ１１Ａと、サービングマクロセル２１Ａと重なる他のピコセル１１ＢのＣＣとの間の同期関係
ＳＲ６：サービングピコセル１１ＡのＣＣと、隣接するマクロセル２１ＢのＣＣとの間の同期関係
ＳＲ７：サービングマクロセル２１Ａと重なる他のピコセル１１ＢのＣＣと、隣接するマクロセル２１ＢのＣＣとの間の同期関係
ＳＲ８：隣接するマクロセル２１ＢのＣＣ間の同期関係
ＳＲ９：隣接するマクロセル２１ＢのＣＣと、隣接するマクロセル２１Ｂと重なるピコセル１１ＣのＣＣとの間の同期関係
【０２３７】
なお、上述したＳＲ１〜ＳＲ５は、図１２を参照して説明したとおりである。とりわけ第２の変形例では、例えば、ＳＲ６〜ＳＲ９が、サービングピコｅＮｏｄｅＢ１００Ａ又はサービングマクロｅＮｏｄｅＢ２００によりさらに提供される。
【０２３８】
（ピコｅＮｏｄｅＢ１００−同期関係情報取得部１５１）
−ＳＲ６
上述したように、ピコｅＮｏｄｅＢ１００Ａの同期関係情報取得部１５１は、ピコセル１１Ａで用いられる複数のＣＣのうちのどのＣＣが、マクロセル２１Ａ及びピコセル１１Ａ以外の別のセルで用いられる１つ以上のＣＣのうちのどのＣＣと同期しているか、を示す同期関係情報を取得する。
【０２３９】
とりわけ第２の変形例では、例えば、上記別のセルは、マクロセル２１Ａに隣接するマクロセル２１Ｂを含む。即ち、同期関係情報取得部１５１は、図２３に示される同期関係のうちのＳＲ６を示す同期関係情報（以下、「ＳＲ６情報」と呼ぶ）を取得する。
【０２４０】
−ＳＲ７
ピコｅＮｏｄｅＢ１００Ａの同期関係情報取得部１５１は、マクロセル２１Ａ及びピコセル１１Ａ以外の別のセルで用いられる複数のＣＣのうちのどのＣＣが互いに同期しているかを示す同期関係情報を取得する。
【０２４１】
例えば、上記別のセルは、マクロセル２１Ａと一部又は全体で重なる別のピコセル１１Ｂ、及びマクロセル２１Ａに隣接するマクロセル２１Ｂである。そして、上記同期関係情報は、ピコセル１１Ｂで用いられる１つ以上のＣＣのうちのどのＣＣが、マクロセル２１Ｂで用いられる１つ以上のＣＣのうちのどのＣＣと同期しているか、を示す。即ち、同期関係情報取得部１５１は、図２３に示される同期関係のうちのＳＲ７を示す同期関係情報（以下、「ＳＲ７情報」と呼ぶ）を取得する。
【０２４２】
（ピコｅＮｏｄｅＢ１００−通信制御部１５３）
−同期関係情報の提供
−−ＳＲ６
上述したように、ピコｅＮｏｄｅＢ１００Ａの通信制御部１５３は、ピコセル１１Ａで用いられる複数のＣＣのうちのどのＣＣが、マクロセル２１Ａ及びピコセル１１Ａ以外の別のセルで用いられる１つ以上のＣＣのうちのどのＣＣと同期しているか、を示す同期関係情報を、ピコセル１１内で提供する。
【０２４３】
上述したように、とりわけ第２の変形例では、例えば、上記別のセルは、マクロセル２１Ａに隣接するマクロセル２１Ｂを含む。即ち、ピコｅＮｏｄｅＢ１００Ａの通信制御部１５３は、ピコセル１１Ａで用いられる複数のＣＣのうちのどのＣＣが、マクロセル２１Ｂで用いられる１つ以上のＣＣのうちのどのＣＣと同期しているか、を示す同期関係情報（即ち、ＳＲ６情報）を、ピコセル１１Ａ内で提供する。
【０２４４】
また、上記ＳＲ６情報は、マクロｅＮｏｄｅＢ２００Ａによりマクロセル２１Ａ内で提供されない。
【０２４５】
このようなＳＲ６情報の提供により、マクロセル２１及びピコセル１１が配置される場合において、キャリアアグリゲーションにおけるＵＥ３００にとっての負荷を軽減することができる。例えば、ピコセル１１Ａがマクロセル２１Ａ及びマクロセル２１Ｂの両方と重なり得る。この場合に、ＵＥ３００は、マクロセル２１Ａからマクロセル２１Ｂへのハンドオーバを行う場合に、当該ハンドオーバ後も、ピコセル１１ＡのＣＣを用いてピコｅＮｏｄｅＢ１００Ａと通信し得る。このような場合に、ＳＲ６情報がＵＥ３００に提供されなければ、ＵＥ３００は、ピコセル１１Ａで用いられるＣＣとマクロセル２１Ｂで用いられるＣＣとの間の同期関係を個別に全て検証することになり得る。一方、ＳＲ６情報がＵＥ３００に提供されれば、ＵＥ３００は、限られた同期関係のみを検証すればよい。そのため、ＳＲ６情報の提供により、ＵＥ３００にとっての負荷が軽減され得る。
【０２４６】
また、ＳＲ６情報が、マクロｅＮｏｄｅＢ２００により提供されず、ピコｅＮｏｄｅＢ１００により提供されることにより、ＳＲ６情報の提供のためにマクロセル２１の無線リソースが使用されない。即ち、ＳＲ６情報のピコｅＮｏｄｅＢ１００による提供によって、マクロセル２１の無線リソースの消費を抑えることが可能になる。
【０２４７】
−−ＳＲ７
ピコｅＮｏｄｅＢ１００Ａの通信制御部１５３は、マクロセル２１Ａ及びピコセル１１Ａ以外の別のセルで用いられる複数のＣＣのうちのどのＣＣが互いに同期しているかを示す同期関係情報を、スモールセル内で提供する。
【０２４８】
また、上記同期関係情報は、マクロｅＮｏｄｅＢ２００Ａによりマクロセル２１Ａ内で提供されない。
【０２４９】
上述したように、例えば、上記別のセルは、ピコセル１１Ｂ及びマクロセル２１Ｂである。そして、上記同期関係情報は、ＳＲ７情報である。即ち、通信制御部１５３は、ＳＲ７情報をピコセル１１内で提供する。また、ＳＲ７情報は、マクロｅＮｏｄｅＢ２００Ａによりマクロセル２１Ａ内で提供されない。
【０２５０】
このようなＳＲ７情報の提供により、マクロセル２１及びピコセル１１が配置される場合において、キャリアアグリゲーションにおけるＵＥ３００にとっての負荷を軽減することができる。例えば、ピコセル１１Ｂがマクロセル２１Ａ及びマクロセル２１Ｂの両方と重なり得る。この場合に、ＵＥ３００は、ピコセル１１Ａから、ピコセル１１Ｂとマクロセル２１Ｂとが重なる領域に移動し、マクロセル２１Ａからマクロセル２１Ｂへのハンドオーバを行う場合に、当該ハンドオーバ後に、ピコセル１１ＢのＣＣとマクロセル２１ＢのＣＣとを用いて通信し得る。このような場合に、ＳＲ７情報がＵＥ３００に提供されなければ、ＵＥ３００は、ピコセル１１Ｂで用いられるＣＣとマクロセル２１Ｂで用いられるＣＣとの間の同期関係を個別に全て検証することになり得る。一方、ＳＲ７情報がＵＥ３００に提供されれば、ＵＥ３００は、限られた同期関係のみを検証すればよい。そのため、ＳＲ７情報の提供により、ＵＥ３００にとっての負荷が軽減され得る。
【０２５１】
また、ＳＲ７情報が、マクロｅＮｏｄｅＢ２００により提供されず、ピコｅＮｏｄｅＢ１００により提供されることにより、ＳＲ７情報の提供のためにマクロセル２１の無線リソースが使用されない。即ち、ＳＲ７情報のピコｅＮｏｄｅＢ１００による提供によって、マクロセル２１の無線リソースの消費を抑えることが可能になる。
【０２５２】
−−ＳＲ８、ＳＲ９
一方、例えば、マクロセル２１Ａ並びにピコセル１１Ａ及びピコセル１１Ｂ以外の別のセルで用いられる複数のＣＣのうちのどのＣＣが互いに同期しているかを示す同期関係情報は、マクロｅＮｏｄｅＢ２００Ａによりマクロセル２１Ａ内で提供される。例えば、当該同期関係情報は、図２３に示される同期関係のうちの、ＳＲ８を示す同期関係情報（以下、「ＳＲ８情報」と呼ぶ）及びＳＲ９を示す同期関係情報（以下、「ＳＲ９情報」と呼ぶ）を含む。即ち、ＳＲ８情報及びＳＲ９情報は、マクロｅＮｏｄｅＢ２００Ａによりマクロセル２１Ａ内で提供される。
【０２５３】
以上のように、各種同期関係情報が、ピコセル１１内で提供される。以下、図２４を参照して、サービングピコｅＮｏｄｅＢ１００Ａにより提供される同期関係情報の種類を確認する。
【０２５４】
図２４は、本実施形態の第２の変形例においてサービングピコｅＮｏｄｅＢ１００Ａにより提供される同期関係情報の種類の例を説明するための説明図である。図２４に示されるように、例えば、サービングピコｅＮｏｄｅＢ１００Ａ（通信制御部１５３）は、ＳＲ４情報、ＳＲ５情報、ＳＲ６情報及びＳＲ７情報をピコセル１１Ａ内で提供する。一方、サービングピコｅＮｏｄｅＢ１００Ａ（通信制御部１５３）は、ＳＲ１情報、ＳＲ２情報、ＳＲ３情報、ＳＲ８情報及びＳＲ９情報をピコセル１１Ａ内で提供しない。
【０２５５】
（マクロｅＮｏｄｅＢ２００−同期関係情報取得部２５１）
−ＳＲ８、ＳＲ９
とりわけ第２の変形例では、マクロｅＮｏｄｅＢ２００Ａの同期関係情報取得部２５１は、マクロセル２１Ａ並びにピコセル１１Ａ及びピコセル１１Ｂ以外の別のセルで用いられる複数のＣＣのうちのどのＣＣが互いに同期しているかを示す同期関係情報を取得する。
【０２５６】
−−ＳＲ８
例えば、上記別のセルは、マクロセル２１Ａに隣接するマクロセル２１Ｂである。この場合に、上記同期関係情報は、マクロセル２１Ｂで用いられるＣＣのうちのどのＣＣが互いに同期しているかを示す。即ち、同期関係情報取得部２５１は、図２３に示される同期関係のうちのＳＲ８を示す同期関係情報（即ち、ＳＲ８情報）を取得する。
【０２５７】
−−ＳＲ９
また、例えば、上記別のセルは、マクロセル２１Ａに隣接するマクロセル２１Ｂ、及びマクロセル２１Ｂに一部又は全体で重なるピコセル１１Ｃである。この場合に、上記同期関係情報は、マクロセル２１Ｂで用いられるＣＣのうちのどのＣＣが、ピコセル１１Ｃで用いられるＣＣのうちのどのＣＣと同期しているか、を示す。即ち、同期関係情報取得部２５１は、図２３に示される同期関係のうちのＳＲ９を示す同期関係情報（即ち、ＳＲ９情報）を取得する。
【０２５８】
（マクロｅＮｏｄｅＢ２００−通信制御部２５３）
−同期関係情報の提供
−ＳＲ８、ＳＲ９
とりわけ第２の変形例では、マクロｅＮｏｄｅＢ２００Ａの通信制御部２５３は、マクロセル２１Ａ並びにピコセル１１Ａ及びピコセル１１Ｂ以外の別のセルで用いられる複数のＣＣのうちのどのＣＣが互いに同期しているかを示す同期関係情報を、マクロセル２１Ａ内で提供する。
【０２５９】
−−ＳＲ８
上述したように、例えば、上記別のセルは、マクロセル２１Ａに隣接するマクロセル２１Ｂであり、上記同期関係情報は、ＳＲ８情報である。即ち、マクロｅＮｏｄｅＢ２００Ａの通信制御部２５３は、ＳＲ８情報をマクロセル２１Ａ内で提供する。
【０２６０】
このようなＳＲ８情報が提供されることにより、ＵＥ３００は、マクロセル２１Ａから、隣接するマクロセル２１Ｂへのハンドオーバの際に、マクロセル２１ＢのＣＣのうちのどのＣＣを用いることが同期結果の利用の観点から望ましいかを、上記ハンドオーバの前に知得できる。その結果、ＵＥ３００は、マクロセル２１Ｂへのハンドオーバの際に、マクロセル２１ＢのＣＣのうちの、同期結果の利用の観点から望ましいＣＣ（例えば、マクロセル２１Ｂの別のＣＣと同期しているＣＣ、等）を、より素早く用いることが可能になる。
【０２６１】
具体的には、例えば、ＳＲ１が提供されるが、ＳＲ８情報が提供されないと仮定する。この場合に、ＵＥ３００は、マクロセル２１ＢのＣＣのうちの、同期結果の利用の観点から望ましいＣＣを用いるためには、マクロｅＮｏｄｅＢ２００ＢからのＳＲ１情報（マクロｅＮｏｄｅＢ２００Ａにより提供されるＳＲ８情報に相当）を取得することになる。そして、ＵＥ３００は、マクロｅＮｏｄｅＢ２００Ｂからの当該ＳＲ１情報の受信後、当該ＳＲ１情報を取得して確認した後に、ようやく、マクロセル２１ＢのＣＣのうちの、同期結果の利用の観点から望ましいＣＣを用いることになる。そのため、第１の例として、ＵＥ３００は、マクロセル２１Ａからマクロセル２１Ｂへのハンドオーバの際に、マクロセル２１ＢのＣＣのうちの、同期結果の利用の観点から望ましいＣＣを、最初から用いようとすると、マクロｅＮｏｄｅＢ２００Ｂに即座に接続することができない可能性がある。とりわけ、ＵＥ３００は、高速で移動している場合に、マクロセル２１Ｂ内に入ったにも関わらず、マクロｅＮｏｄｅＢ２００Ｂに接続できていない、という事態も発生し得る。あるいは、第２の例として、ＵＥ３００は、マクロセル２１Ａからマクロセル２１Ｂへのハンドオーバの際に、同期結果の利用の観点から望ましいＣＣがどのＣＣであるかを知得しないまま、いずれかのＣＣを用いてマクロｅＮｏｄｅＢ２００Ｂに接続することになる。そのため、同期結果の利用の観点から望ましいＣＣを用いるためには、ＵＥ３００は、マクロｅＮｏｄｅＢ２００Ｂへの接続後に、同期結果の利用の観点から望ましいＣＣをあらためて用いることになり得る。
【０２６２】
一方、上述したように、ＳＲ８情報が提供される場合には、ＵＥ３００は、マクロセル２１ＡのマクロｅＮｏｄｅＢ１００ＡからＳＲ８情報を予め取得できる。そのため、ＵＥ３００は、マクロｅＮｏｄｅＢ２００ＢからのＳＲ１情報（マクロｅＮｏｄｅＢ２００ＡからのＳＲ８情報に相当）をあらためて受信することなく、同期結果の利用の観点から望ましいＣＣを用いてマクロｅＮｏｄｅＢ２００Ｂに接続できる。即ち、ＵＥ３００は、同期結果の利用の観点から望ましいＣＣをより素早く用いることができる。
【０２６３】
−ＳＲ９
また、上述したように、例えば、上記別のセルは、マクロセル２１Ａに隣接するマクロセル２１Ｂ、及びマクロセル２１Ｂに一部又は全体で重なるピコセル１１Ｃであり、上記同期関係情報は、ＳＲ９情報である。即ち、マクロｅＮｏｄｅＢ２００Ａの通信制御部２５３は、ＳＲ９情報をマクロセル２１Ａ内で提供する。
【０２６４】
このようなＳＲ９情報が提供されることにより、ＵＥ３００は、マクロセル２１Ａから、マクロセル２１Ｂ内のピコセル１１Ｃへ移動する場合に、マクロセル２１ＢのＣＣのうちのどのＣＣと、ピコセル１１ＣのＣＣのうちのどのＣＣとを用いることが同期結果の利用の観点から望ましいかを、移動の前に知得できる。その結果、ＵＥ３００は、マクロセル２１Ａから、マクロセル２１Ｂ内のピコセル１１Ｃへ移動し、マクロセル２１Ａからマクロセル２１Ｂへのハンドオーバを行う場合に、同期結果の利用の観点から望ましいＣＣ（例えば、ピコセル１１ＣのＣＣと同期しているマクロセル２１ＢのＣＣ、等）を、より素早く用いることが可能になる。
【０２６５】
具体的には、例えば、ＳＲ２情報及びＳＲ３情報が提供されるが、ＳＲ８情報が提供されないと仮定する。この場合に、ＵＥ３００は、マクロセル２１ＢのＣＣ及びピコセル１１ＣのＣＣのうちの、同期結果の利用の観点から望ましいＣＣを用いるためには、マクロｅＮｏｄｅＢ２００ＢからのＳＲ２情報及びＳＲ３情報（マクロｅＮｏｄｅＢ２００Ａにより提供されるＳＲ９情報に相当）を取得することになる。そして、ＵＥ３００は、マクロｅＮｏｄｅＢ２００Ｂからの当該ＳＲ２情報及び当該ＳＲ３情報の受信後、当該ＳＲ２情報及び当該ＳＲ３情報を取得して確認した後に、ようやく、マクロセル２１ＢのＣＣ及びピコセル１１ＣのＣＣのうちの、同期結果の利用の観点から望ましいＣＣを用いることになる。そのため、第１の例として、ＵＥ３００は、マクロセル２１Ａからマクロセル２１Ｂへのハンドオーバの際に、マクロセル２１Ｂ及びピコセル１１ＣのＣＣのうちの、同期結果の利用の観点から望ましいＣＣを、最初から用いようとすると、マクロｅＮｏｄｅＢ２００Ｂ又はピコｅＮｏｄｅＢ１００Ｃに即座に接続することができない可能性がある。とりわけ、ＵＥ３００は、高速で移動している場合に、マクロセル２１Ｂ及びピコセル１１Ｃ内に入ったにも関わらず、マクロｅＮｏｄｅＢ２００Ｂ又はピコセル１１Ｃに接続できていない、という事態も発生し得る。あるいは、第２の例として、ＵＥ３００は、マクロセル２１Ａからマクロセル２１Ｂへのハンドオーバの際に、同期結果の利用の観点から望ましいＣＣがどのＣＣであるかを知得しないまま、いずれかのＣＣを用いてマクロｅＮｏｄｅＢ２００Ｂ及びピコｅＮｏｄｅＢ１１Ｃに接続することになる。そのため、同期結果の利用の観点から望ましいＣＣを用いるためには、ＵＥ３００は、マクロｅＮｏｄｅＢ２００Ｂ及びピコｅＮｏｄｅＢ１００Ｃへの接続後に、同期結果の利用の観点から望ましいＣＣをあらためて用いることになり得る。
【０２６６】
一方、上述したように、ＳＲ９情報が提供される場合には、ＵＥ３００は、マクロセル２１ＡのマクロｅＮｏｄｅＢ１００ＡからＳＲ９情報を予め取得できる。そのため、ＵＥ３００は、マクロｅＮｏｄｅＢ２００ＢからのＳＲ２情報及びＳＲ３情報（マクロｅＮｏｄｅＢ２００ＡからのＳＲ９情報に相当）をあらためて受信することなく、同期結果の利用の観点から望ましいＣＣを用いてマクロｅＮｏｄｅＢ２００Ｂ及びピコｅＮｏｄｅＢ１００Ｃに接続できる。即ち、ＵＥ３００は、同期結果の利用の観点から望ましいＣＣをより素早く用いることができる。
【０２６７】
−−ＳＲ６、ＳＲ７
一方、例えば、上述したように、ＳＲ６情報及びＳＲ７情報は、マクロｅＮｏｄｅＢ２００Ａによりマクロセル２１Ａ内で提供されず、ピコｅＮｏｄｅＢ１００Ａによりピコセル１１Ａ内で提供される。
【０２６８】
以上のように、各種同期関係情報が、マクロセル２１内で提供される。以下、図２５を参照して、サービングマクロｅＮｏｄｅＢ２００Ａにより提供される同期関係情報の種類を確認する。
【０２６９】
図２５は、本実施形態の第２の変形例においてサービングマクロｅＮｏｄｅＢ２００Ａにより提供される同期関係情報の種類の例を説明するための説明図である。図２５に示されるように、例えば、サービングマクロｅＮｏｄｅＢ２００Ａ（通信制御部２５３）は、ＳＲ１情報、ＳＲ２情報、ＳＲ３情報、ＳＲ８情報及びＳＲ９情報をマクロセル２１Ａ内で提供する。一方、サービングマクロｅＮｏｄｅＢ２００Ａ（通信制御部２５３）は、ＳＲ１情報、ＳＲ２情報、ＳＲ３情報、ＳＲ８情報及びＳＲ９をピコセル１１Ａ内で提供しない。
【０２７０】
以上、本実施形態の第２の変形例を説明した。当該第２の変形例によれば、サービングマクロセル２１に隣接する別のマクロセル２１に関連する同期関係情報がさらに提供される。これにより、隣接するマクロセル２１へのハンドオーバ後も、同期結果の利用の観点から望ましいＣＣをより素早く用いることが可能になる。
【０２７１】
＜＜８．第３の変形例＞＞
続いて、図２６〜図２９を参照して、本実施形態の第３の変形例を説明する。
【０２７２】
上述した本実施形態の例では、一例として、各同期関係情報は、システム情報で提供される。また、別の例として、各同期関係情報は、ＲＲＣシグナリングで提供されてもよい。
【０２７３】
しかし、一律にシステム情報で同期関係情報が提供されると、システム情報用の限られた情報量の多くを使うことになり得る。また、一律にＲＲＣシグナリングで同期関係情報が提供されると、多数のＵＥ３００が存在する場合に、ＲＲＣシグナリングのために多くの無線リソース及び処理を要してしまう。
【０２７４】
そこで、本実施形態の第３の変形例は、システム情報で送信される同期関係情報の量を抑えつつ、同期関係情報の提供に要する無線リソースの量も抑えることを可能にする。
【０２７５】
（同期関係情報の種類に応じた提供手法）
とりわけ第３の変形例では、２種類以上の同期関係情報の各々は、同期関係情報の種類に応じて、個別のＵＥ３００へのシグナリング、及びＵＥ３００に共通のシステム情報のうちのいずれか一方で提供される。例えば、当該シグナリングは、ＲＲＣシグナリングである。
【０２７６】
（ピコｅＮｏｄｅＢ１００−通信制御部１５３）
−同期関係情報の提供手法
例えば、通信制御部１５３は、無線通信部１２０を介して、同期関係情報の種類に応じた提供手法で、同期関係情報を提供する。
【０２７７】
より具体的には、例えば、通信制御部１５３は、ＳＲ４情報、ＳＲ５情報、ＳＲ６情報及びＳＲ７情報の各々を、ＲＲＣシグナリングで提供する。
【０２７８】
これらの同期関係情報は（ＳＲ４情報、ＳＲ５情報、ＳＲ６情報及びＳＲ７情報）は、ピコセル１１（即ち、局所的な領域）に関連する同期関係を示す情報であるので、当該同期関係情報を必要とするＵＥ３００は限られる。そのため、限られたＵＥ３００のみに、ＲＲＣシグナリングで同期関係情報が提供され得る。その結果、同期関係情報の提供に要する無線リソースの量は抑えられ、ピコセル１１においてシステム情報で送信される同期関係情報の量を抑えることが可能になる。
【０２７９】
−提供手法情報の提供
また、例えば、ピコｅＮｏｄｅＢ１００Ａの通信制御部１５３は、上記２種類以上の同期関係情報の各々が、個別のＵＥ３００へのシグナリング、及びＵＥ３００に共通のシステム情報のうちのいずれで提供されるか、を示す情報（以下、「提供手法情報」と呼ぶ）を、ピコセル１１Ａ内で提供する。
【０２８０】
具体的には、例えば、ＳＲ１情報及びＳＲ８情報がシステム情報で提供され、その他の同期関係情報がＲＲＣシグナリングで提供されることを示す提供手法情報が、通信制御部１５３により提供される。
【０２８１】
具体的な提供手法として、例えば、ＵＥ３００がピコセル１１においてＲＲＣ＿Ｃｏｎｎｅｃｔｅｄになった際に、通信制御部１５３は、無線通信部１２０を介して、ＲＲＣシグナリングで、ＵＥ３００に提供箇所情報及び提供手法情報を提供する。なお、提供箇所情報及び提供手法情報は、システム情報で提供されてもよい。
【０２８２】
このような提供手法情報の提供により、ＵＥ３００は、各種同期関係情報をシステム情報及びＲＲＣシグナリングのうちのいずれで取得すればよいかを知得することがでる。そのため、ＵＥ３００は、システム情報及びＲＲＣシグナリングの両方で同期関係情報の取得を試みる必要がなくなる。また、例えば、必要な同期関係情報がＲＲＣシグナリング又はシステム情報のうちの一方で提供される場合に、当該一方の手法で同期関係情報を取得すればよいので、同期関係情報の取得のための処理が軽減される。
【０２８３】
（マクロｅＮｏｄｅＢ２００−通信制御部２５３）
−同期関係情報の提供手法
例えば、通信制御部２５３は、無線通信部２２０を介して、同期関係情報の種類に応じた提供手法で、同期関係情報を提供する。
【０２８４】
より具体的には、例えば、通信制御部１５３は、ＳＲ２情報、ＳＲ３情報及びＳＲ９情報の各々を、ＲＲＣシグナリングで提供する。
【０２８５】
これらの同期関係情報は（ＳＲ２情報、ＳＲ３情報及びＳＲ９情報）は、ピコセル１１（即ち、局所的な領域）に関連する同期関係を示す情報であるので、当該同期関係情報を必要とするＵＥ３００は限られる。そのため、限られたＵＥ３００のみに。ＲＲＣシグナリングで同期関係情報が提供され得る。その結果、同期関係情報の提供に要する無線リソースの量は抑えられ、マクロセル２１においてシステム情報で送信される同期関係情報の量を抑えることが可能になる。
【０２８６】
さらに、上記同期関係情報（ＳＲ２情報、ＳＲ３情報及びＳＲ９情報）は、当該同期関係情報を必要としないＵＥ３００には送信されなくてもよいので、ＵＥ３００が取得する不要な同期関係情報の量を減らすことが可能になる。
【０２８７】
また、例えば、通信制御部１５３は、ＳＲ１情報及びＳＲ８情報の各々を、システム情報で提供する。
【０２８８】
これらの同期関係情報は（ＳＲ１情報及びＳＲ８情報）は、ピコセル１１（即ち、局所的な領域）に関連せず、マクロセル２１のみに関連する同期関係を示す情報であるので、当該同期関係情報は、いずれのＵＥ３００にとっても有用な情報と言える。そのため、システム情報により、全てのＵＥ３００に同期関係情報が提供され得る。その結果、多数のＵＥ３００が位置し得るマクロセル２１において、同期関係情報の提供に要する無線リソースの量が抑えられる。また、上記同期関係情報は限られた情報であるので、マクロセル２１においてシステム情報で送信される同期関係情報の量を抑えることが可能になる。
【０２８９】
さらに、上記同期関係情報は（ＳＲ１情報及びＳＲ８情報）がシステム情報で提供されることで、ＵＥ３００は、当該同期関係情報を、ＲＲＣ＿Ｃｏｎｎｅｃｔｅｄになることなく取得できる。即ち、ＵＥ３００は、特に有用な同期関係情報をより素早く取得することが可能になる。このようなシステム情報での有用な同期関係情報の提供は、一例として、素早く情報を取得することが求められる高速移動中のＵＥ３００にとって特に有効である。
【０２９０】
−提供手法情報の提供
また、例えば、マクロｅＮｏｄｅＢ２００Ａの通信制御部２５３は、上記２種類以上の同期関係情報の各々が、個別のＵＥ３００へのシグナリング、及びＵＥ３００に共通のシステム情報のうちのいずれで提供されるか、を示す情報（即ち、提供手法情報）を、マクロセル２１Ａ内で提供する。提供手法情報の具体的な内容、及び具体的な提供手法については、ピコｅＮｏｄｅＢ１００に関連して説明したとおりである。
【０２９１】
（処理の流れ）
続いて、図２６〜図２９を参照して、本実施形態の第３の変形例に係る通信制御処理の例を説明する。
【０２９２】
−提供箇所情報の提供
図２６は、本実施形態の第３の変形例に係るピコｅＮｏｄｅＢ１００側の第１の通信制御処理の一例を説明するための説明図である。当該第１の通信制御処理は、提供箇所情報及び提供手法情報を提供するための処理である。
【０２９３】
ここでは、図１７を参照して説明した本実施形態に係る処理の流れと、本実施形態の第３の変形例に係る処理の流れと間の相違点である、ステップＳ４２１のみを説明する。
【０２９４】
ステップＳ４２１で、ピコｅＮｏｄｅＢ１００の通信制御部１５３は、無線通信部１２０を介して、ピコセル１１においてＲＲＣ＿ＣｏｎｎｅｃｔｅｄになったＵＥ３００に、ＲＲＣシグナリングで提供箇所情報及び提供手法情報を提供する。そして、処理はステップＳ４１０へ戻る。
【０２９５】
なお、当該第１の通信制御処理は、マクロｅＮｏｄｅＢ２００においても同様に行われ得る。
【０２９６】
−ピコｅＮｏｄｅＢによる同期関係情報の提供
図２７は、本実施形態の第３の変形例に係るピコｅＮｏｄｅＢ１００側の第２の通信制御処理の一例を説明するための説明図である。当該第２の通信制御処理は、同期関係情報を提供するための処理である。
【０２９７】
ここでは、図１８を参照して説明した本実施形態に係る処理の流れと、本実施形態の第３の変形例に係る処理の流れと間の相違点である、ステップＳ５２１のみを説明する。
【０２９８】
ステップＳ５２１で、通信制御部１５３は、無線通信部１２０を介して、同期関係情報の種類に応じた提供手法で同期関係情報を提供する。そして、処理はステップＳ５１０へ戻る。
【０２９９】
−マクロｅＮｏｄｅＢによる同期関係情報の提供
図２８は、本実施形態の第３の変形例に係るマクロｅＮｏｄｅＢ２００側の通信制御処理の一例を説明するための説明図である。当該通信制御処理は、同期関係情報を提供するための処理である。
【０３００】
ここでは、図１９を参照して説明した本実施形態に係る処理の流れと、本実施形態の第３の変形例に係る処理の流れと間の相違点である、ステップＳ６２１のみを説明する。
【０３０１】
ステップＳ６２１で、通信制御部２５３は、無線通信部２２０を介して、同期関係情報の種類に応じた提供手法で同期関係情報を提供する。そして、処理はステップＳ６１０へ戻る。
【０３０２】
−ＵＥによる通信制御処理
図２９は、本実施形態の第３の変形例に係るＵＥ３００側の通信制御処理の一例を説明するための説明図である。当該通信制御処理は、例えば、ＵＥ３００がピコセル１１又はマクロセル２１においてＲＲＣ＿Ｃｏｎｎｅｃｔｅｄになると開始する。
【０３０３】
ここでは、図２０を参照して説明した本実施形態に係る処理の流れと、本実施形態の第３の変形例に係る処理の流れと間の相違点である、ステップＳ７１１、Ｓ７２１、Ｓ７３１及びＳ７５１のみを説明する。
【０３０４】
まず、ステップＳ７１１で、同期関係情報取得部３４１は、無線通信部３２０を介して、ＲＲＣシグナリングから提供箇所情報及び提供手法情報を取得する。
【０３０５】
そして、ステップＳ７２１で、同期関係情報取得部３４１は、提供箇所情報及び提供手法情報から、マクロｅＮｏｄｅＢ２００により提供される同期関係情報の種類、及び、同期関係情報の種類ごとの提供手法を知得する。
【０３０６】
また、ステップＳ７３１で、同期関係情報取得部３４１は、提供箇所情報及び提供手法情報から、ピコｅＮｏｄｅＢ１００により提供される同期関係情報の種類、及び、同期関係情報の種類ごとの提供手法も知得する。
【０３０７】
ステップＳ７５１で、同期関係情報取得部３４１は、通信部３２０を介して、決定された種類の同期関係情報を、当該種類ごとの提供手法で取得する。
【０３０８】
（提供箇所に応じた提供手法）
以上のように、例えば、同期関係情報の種類に応じた提供手法で同期関係情報が提供される。一方、代替的な手段として、上記２種類以上の同期関係情報の各々は、個別のＵＥ３００へのシグナリングでピコｅＮｏｄｅＢ１００によりピコセル１１内で提供され、又は、ＵＥ３００に共通のシステム情報でマクロｅＮｏｄｅＢ２００によりマクロセル２１内で提供されてもよい。
【０３０９】
具体的には、例えば、ピコセル１１内で提供されるＳＲ４情報、ＳＲ５情報、ＳＲ６情報及びＳＲ７情報は、ＲＲＣシグナリングで提供されてもよい。
【０３１０】
これにより、ピコセル１１においてシステム情報で送信される同期関係情報の量を抑えることが可能になる。
【０３１１】
また、例えば、マクロセル２１内で提供されるＳＲ１情報、ＳＲ２情報、ＳＲ３情報、ＳＲ８３情報及びＳＲ９情報は、システム情報で提供されてもよい。
【０３１２】
これにより、多数のＵＥ３００が位置し得るマクロセル２１において、同期関係情報の提供に要する無線リソースの量が抑えられる。
【０３１３】
以上、本実施形態の第３の変形例を説明した。当該第３の変形例によれば、システム情報で送信される同期関係情報の量を抑えつつ、同期関係情報の提供に要する無線リソースの量も抑えることが可能になる。
【０３１４】
＜＜９．その他＞＞
続いて、図３０を参照して、第３のシナリオ（即ち、Deployment  Scenario  3）のようにピコセル１１が配置される場合における同期関係の種類を説明する。
【０３１５】
図３０は、第３のシナリオのようにピコセル１１が配置される場合における同期関係の種類の例を説明するための説明図である。図３０を参照すると、ピコｅＮｏｄｅＢ１００及びピコセル１１が示されている。この例では、いずれのピコセル１１も、マクロセルと重ならない。また、この例では、ピコセル１１Ｄ内にＵＥ３００が位置し、ピコセル１１ＤがＵＥ３００にとってのサービングピコセルである。また、図３０には、各ピコセル１１で用いられる２つのＣＣ（ＣＣ３及びＣＣ４）が示されている。
【０３１６】
このようなセルの配置では、例えば以下のような種類の同期関係（ＳＲ）を示す情報が、ピコｅＮｏｄｅＢ１００Ｄにより提供され得る。
ＳＲ１：サービングピコセル１１ＤのＣＣ間の同期関係
ＳＲ２：サービングピコセル１１ＤのＣＣと、サービングピコセル１１Ｄに隣接するピコセル１１ＥのＣＣとの間の同期関係
ＳＲ３：サービングピコセル１１Ｄに隣接するピコセル１１のＣＣ間の同期関係
ＳＲ４：サービングピコセル１１Ｄに隣接するピコセル１１ＥのＣＣと、サービングピコセル１１Ｄに隣接するピコセル１１ＦのＣＣとの間の同期関係
【０３１７】
＜＜１０．応用例＞＞
本開示に係る技術は、様々な製品へ応用可能である。例えば、ピコｅＮｏｄｅＢ１００及びマクロｅＮｏｄｅＢ２００の各々は、無線通信を制御する本体（基地局装置ともいう）とアンテナとを含むｅＮｏｄｅＢ８００として実現されてもよい。あるいは、ピコｅＮｏｄｅＢ１００及びマクロｅＮｏｄｅＢ２００の各々は、無線通信を制御する本体と、本体とは別の場所に配置される１つ以上のＲＲＨ（Remote  Radio  Head）と、アンテナとを含むｅＮｏｄｅＢ８３０として実現されてもよい。また、後述する様々な種類の端末が一時的に又は半永続的に基地局機能を実行することにより、ピコｅＮｏｄｅＢ１００又はマクロｅＮｏｄｅＢ２００として動作してもよい。
【０３１８】
また、例えば、ＵＥ３００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、ＵＥ３００は、Ｍ２Ｍ（Machine  To  Machine）通信を行う端末（ＭＴＣ（Machine  Type  Communication）端末ともいう）として実現されてもよい。さらに、ＵＥ３００は、これら端末に搭載される無線通信モジュール（例えば、１つのダイで構成される集積回路モジュール）であってもよい。
【０３１９】
＜１０．１．ピコｅＮｏｄｅＢ及びマクロｅＮｏｄｅＢに関する応用例＞
（第１の応用例）
図３１は、本開示に係る技術が適用され得るｅＮｏｄｅＢの概略的な構成の第１の例を示すブロック図である。ｅＮｏｄｅＢ８００は、１つ以上のアンテナ８１０、及び基地局装置８２０を有する。各アンテナ８１０及び基地局装置８２０は、ＲＦケーブルを介して互いに接続され得る。
【０３２０】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮｏｄｅＢ８００は、図３１に示したように複数のアンテナ８１０を有し、複数のアンテナ８１０は、例えばｅＮｏｄｅＢ８００が使用する複数の周波数帯域にそれぞれ対応してもよい。なお、図３１にはｅＮｏｄｅＢ８００が複数のアンテナ８１０を有する例を示したが、ｅＮｏｄｅＢ８００は単一のアンテナ８１０を有してもよい。
【０３２１】
基地局装置８２０は、コントローラ８２１、メモリ８２２、ネットワークインタフェース８２３及び無線通信インタフェース８２５を備える。
【０３２２】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮｏｄｅＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０３２３】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮｏｄｅＢと通信してもよい。その場合に、ｅＮｏｄｅＢ８００と、コアネットワークノード又は他のｅＮｏｄｅＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０３２４】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮｏｄｅＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０３２５】
無線通信インタフェース８２５は、図３１に示したように複数のＢＢプロセッサ８２６を含み、複数のＢＢプロセッサ８２６は、例えばｅＮｏｄｅＢ８００が使用する複数の周波数帯域にそれぞれ対応してもよい。また、無線通信インタフェース８２５は、図３１に示したように複数のＲＦ回路８２７を含み、複数のＲＦ回路８２７は、例えば複数のアンテナ素子にそれぞれ対応してもよい。なお、図３１には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０３２６】
（第２の応用例）
図３２は、本開示に係る技術が適用され得るｅＮｏｄｅＢの概略的な構成の第２の例を示すブロック図である。ｅＮｏｄｅＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３２７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮｏｄｅＢ８３０は、図３２に示したように複数のアンテナ８４０を有し、複数のアンテナ８４０は、例えばｅＮｏｄｅＢ８３０が使用する複数の周波数帯域にそれぞれ対応してもよい。なお、図３２にはｅＮｏｄｅＢ８３０が複数のアンテナ８４０を有する例を示したが、ｅＮｏｄｅＢ８３０は単一のアンテナ８４０を有してもよい。
【０３２８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図３１を参照して説明したコントローラ８２１、メモリ８２２及びネットワークインタフェース８２３と同様のものである。
【０３２９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図３１を参照して説明したＢＢプロセッサ８２６と同様のものである。無線通信インタフェース８５５は、図３２に示したように複数のＢＢプロセッサ８５６を含み、複数のＢＢプロセッサ８５６は、例えばｅＮｏｄｅＢ８３０が使用する複数の周波数帯域にそれぞれ対応してもよい。なお、図３２には無線通信インタフェース８５５が複数のＢＢプロセッサ８５６を含む例を示したが、無線通信インタフェース８５５は単一のＢＢプロセッサ８５６を含んでもよい。
【０３３０】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３３１】
また、ＲＲＨ８６０は、接続インタフェース８６１及び無線通信インタフェース８６３を備える。
【０３３２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３３３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図３２に示したように複数のＲＦ回路８６４を含み、複数のＲＦ回路８６４は、例えば複数のアンテナ素子にそれぞれ対応してもよい。なお、図３２には無線通信インタフェース８６３が複数のＲＦ回路８６４を含む例を示したが、無線通信インタフェース８６３は単一のＲＦ回路８６４を含んでもよい。
【０３３４】
図３１及び図３２に示したｅＮｏｄｅＢ８００及びｅＮｏｄｅＢ８３０において、図１１を参照して説明した同期関係情報取得部１５１及び通信制御部１５３、並びに、図１４を参照して説明した同期関係情報取得部２５１及び通信制御部２５３は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０３３５】
＜１０．２．ＵＥに関する応用例＞
（第１の応用例）
図３３は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３３６】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３３７】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３３８】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図３３に示したように複数のＢＢプロセッサ９１３及び複数のＲＦ回路９１４を含んでもよい。なお、図３３には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３３９】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３４０】
アンテナスイッチ９１５の各々は、無線通信インタフェース９１２に含まれる複数の回路（例えば、異なる無線通信方式のための回路）の間でアンテナ９１６の接続先を切り替える。
【０３４１】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図３３に示したように複数のアンテナ９１６を有してもよい。なお、図３３にはスマートフォン９００が複数のアンテナ９１６を有する例を示したが、スマートフォン９００は単一のアンテナ９１６を有してもよい。
【０３４２】
さらに、スマートフォン９００は、無線通信方式ごとにアンテナ９１６を備えてもよい。その場合に、アンテナスイッチ９１５は、スマートフォン９００の構成から省略されてもよい。
【０３４３】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図３３に示したスマートフォン９００の各ブロックへ電力を供給する。補助コントローラ９１９は、例えば、スリープモードにおいて、スマートフォン９００の必要最低限の機能を動作させる。
【０３４４】
図３３に示したスマートフォン９００において、図１６を参照して説明した同期関係情報取得部３４１及び通信制御部３４３は、無線通信インタフェース９１２において実装されてもよい。また、これら機能の少なくとも一部は、プロセッサ９０１又は補助コントローラ９１９において実装されてもよい。
【０３４５】
（第２の応用例）
図３４は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３４６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３４７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３４８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３４９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図３４に示したように複数のＢＢプロセッサ９３４及び複数のＲＦ回路９３５を含んでもよい。なお、図３４には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３５０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３５１】
アンテナスイッチ９３６の各々は、無線通信インタフェース９３３に含まれる複数の回路（例えば、異なる無線通信方式のための回路）の間でアンテナ９３７の接続先を切り替える。
【０３５２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図３４に示したように複数のアンテナ９３７を有してもよい。なお、図３４にはカーナビゲーション装置９２０が複数のアンテナ９３７を有する例を示したが、カーナビゲーション装置９２０は単一のアンテナ９３７を有してもよい。
【０３５３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３５４】
バッテリー９３８は、図中に破線で部分的に示した給電ラインを介して、図３４に示したカーナビゲーション装置９２０の各ブロックへ電力を供給する。また、バッテリー９３８は、車両側から給電される電力を蓄積する。
【０３５５】
図３４に示したカーナビゲーション装置９２０において、図１６を参照して説明した同期関係情報取得部３４１及び通信制御部３４３は、無線通信インタフェース９３３において実装されてもよい。また、これら機能の少なくとも一部は、プロセッサ９２１において実装されてもよい。
【０３５６】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０３５７】
＜＜１１．まとめ＞＞
ここまで、図１〜図３０を用いて、本開示の実施形態に係る通信装置及び各処理を説明した。本開示に係る実施形態によれば、ピコセル１１で用いられる複数のＣＣのうちのどのＣＣが互いに同期しているかを示す同期関係情報（即ち、ＳＲ４情報）が、ピコｅＮｏｄｅＢ１００によりピコセル１１内で提供され、マクロｅＮｏｄｅＢ２００によりマクロセル２１内で提供されない。
【０３５８】
このようなＳＲ４情報の提供により、マクロセル２１及びピコセル１１が配置される場合において、キャリアアグリゲーションにおけるＵＥ３００にとっての負荷を軽減することができる。即ち、ＳＲ４情報がＵＥ３００に提供されなければ、ＵＥ３００は、ピコセル１１で用いられるＣＣ間の同期関係を個別に全て検証することになり得る。一方、ＳＲ４情報がＵＥ３００に提供されれば、ＵＥ３００は、限られた同期関係のみを検証すればよい。そのため、ＳＲ４情報の提供により、ＵＥ３００にとっての負荷が軽減され得る。
【０３５９】
また、ＳＲ４情報が、マクロｅＮｏｄｅＢ２００により提供されず、ピコｅＮｏｄｅＢ１００により提供されることにより、ＳＲ４情報の提供のためにマクロセル２１の無線リソースが使用されない。即ち、ＳＲ４情報のピコｅＮｏｄｅＢ１００による提供によって、マクロセル２１の無線リソースの消費を抑えることが可能になる。
【０３６０】
また、例えば、マクロセル２１で用いられる１つ以上の別のＣＣのうちのどのＣＣがどのＣＣと同期しているかを示す同期関係情報（即ち、マクロＳＲ情報）が、マクロｅＮｏｄｅＢ２００によりマクロセル２１内で提供される。
【０３６１】
より具体的には、例えば、上記マクロＳＲ情報は、マクロセル２１で用いられる１つ以上の別のＣＣのうちのどのＣＣが、ピコセル１１で用いられる複数のＣＣのうちのどのＣＣと同期しているか、を示す。即ち、上記マクロＳＲ情報は、ＳＲ２情報を含む。そのため、ＳＲ２情報（及びＳＲ３情報）がマクロセル２１内で提供される。
【０３６２】
このようなＳＲ２情報（及びＳＲ３情報）の提供により、マクロセル２１及びピコセル１１が配置される場合において、キャリアアグリゲーションにおけるＵＥ３００にとっての負荷を軽減することができる。例えば、ＵＥ３００は、ピコセル１１のＣＣとマクロセル２１のＣＣとを同時に用いて無線通信を行うこともあり得る。このような場合に、ＳＲ２情報及びＳＲ３情報がＵＥ３００に提供されなければ、ＵＥ３００は、ピコセル１１で用いられるＣＣとマクロセル２１で用いられるＣＣとの間の同期関係を個別に全て検証することになり得る。一方、ＳＲ２情報及びＳＲ３情報がＵＥ３００に提供されれば、ＵＥ３００は、限られた同期関係のみを検証すればよい。そのため、ＳＲ２情報及びＳＲ３情報の提供により、ＵＥ３００にとっての負荷が軽減され得る。
【０３６３】
また、ＳＲ２情報及びＳＲ３情報が、マクロｅＮｏｄｅＢ２００により提供されることにより、ＵＥ３００は、ピコセル１１に入った際にピコセル１１のＣＣのうちのどのＣＣを用いることが同期結果の利用の観点から望ましいかを、ピコセル１１に入る前により確実に知得できる。その結果、ＵＥ３００は、ピコセル１１に入ると、ピコセル１１のＣＣのうちの、同期結果の利用の観点から望ましいＣＣ（例えば、使用中のマクロセル２１のＣＣと同期しているＣＣ、ピコセル１１の別のＣＣと同期しているＣＣ、等）を、より素早く用いることが可能になる。
【０３６４】
また、例えば、マクロセル２１で用いられる上記１つ以上のＣＣは、２つ以上のＣＣを含み、上記マクロＳＲ情報は、上記１つ以上の別のＣＣのうちのどのＣＣが互いに同期しているかを示す。即ち、上記マクロＳＲ情報は、ＳＲ１情報を含む。そのため、ＳＲ１情報がマクロセル２１内で提供される。
【０３６５】
このようなＳＲ１情報の提供により、マクロセル２１及びピコセル１１が配置される場合において、キャリアアグリゲーションにおけるＵＥ３００にとっての負荷を軽減することができる。即ち、ＳＲ１情報がＵＥ３００に提供されなければ、ＵＥ３００は、マクロセル２１で用いられるＣＣ間の同期関係を個別に全て検証することになり得る。一方、ＳＲ１情報がＵＥ３００に提供されれば、ＵＥ３００は、限られた同期関係のみを検証すればよい。そのため、ＳＲ１情報の提供により、ＵＥ３００にとっての負荷が軽減され得る。
【０３６６】
また、ＳＲ１情報が、マクロｅＮｏｄｅＢ２００により提供されることにより、ＵＥ３００は、いずれかのピコセル１１内に位置しなくても、ＳＲ１情報を取得することが可能になる。よって、ＵＥ３００の位置によらず、ＵＥ３００にとっての負荷が軽減され得る。
【０３６７】
また、例えば、２種類以上の同期関係情報の各々が、種類の重要度に応じた順序で提供される。
【０３６８】
これにより、例えば重要度に応じた順序で各種同期関係情報が提供され、ＵＥ３００は重要度の高い同期関係から順に検証することが可能になる。その結果、ＵＥ３００が同期をとるための処理が軽減され得る。
【０３６９】
なお、本実施形態の第１の変形例によれば、代替手段として、マクロセル２１で用いられる１つ以上のＣＣのうちのどのＣＣが、ピコセル１１Ａで用いられる複数のＣＣのうちのどのＣＣと同期しているか、を示す同期関係情報（即ち、ＳＲ２情報）が、ピコｅＮｏｄｅＢ１００によりピコセル１１内で提供され、マクロｅＮｏｄｅＢ２００によりマクロセル２１内で提供されない。
【０３７０】
これにより、ＳＲ２情報の提供のためにマクロセル２１の無線リソースが使用されない。即ち、ＳＲ２情報のピコｅＮｏｄｅＢ１００による提供によって、マクロセル２１の無線リソースの消費を抑えることが可能になる。
【０３７１】
また、本実施形態の第３の変形例によれば、２種類以上の同期関係情報の各々は、同期関係情報の種類に応じて、個別のＵＥ３００へのシグナリング、及びＵＥ３００に共通のシステム情報のうちのいずれか一方で提供される。
【０３７２】
これにより、システム情報で送信される同期関係情報の量を抑えつつ、同期関係情報の提供に要する無線リソースの量も抑えることが可能になる。
【０３７３】
以上、添付図面を参照しながら本開示の好適な実施形態を説明したが、本開示は係る例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【０３７４】
例えば、各セル（マクロセル又はピコセル）において２つのＣＣが用いられる例を説明したが、本開示は係る例に限定されない。各セルにおいて、１つのＣＣが用いられてもよく、又は３つ以上のＣＣが用いられてもよい。また、セルごとに用いられるＣＣの数が異なってもよい。
【０３７５】
また、２つ以上のピコセルが存在する場合に、当該２つ以上のピコセルにおいて共通のＣＣが用いられる例を説明したが、本開示は係る例に限定されない。例えば、あるピコセルで用いられる１つ以上のＣＣと、別のピコセルで用いられる１つ以上のＣＣとは、全く共通しなくてもよく、又は一部のみ共通してもよい。
【０３７６】
また、マクロセルで用いられるＣＣとピコセルで用いられるＣＣとが全く共通しない例を説明したが、本開示は係る例に限定されない。マクロセルで用いられるＣＣとピコセルで用いられるＣＣとは、一部共通してもよく、又は全部共通してもよい。
【０３７７】
また、多くの説明において、ピコセルの全体がマクロセルに重なる例（即ち、第１の配置シナリオに対応する例）を説明したが、本開示は係る例に限定されない。ピコセルは、マクロセルと部分的に重なってもよい。即ち、ピコセルの配置は、第２の配置シナリオに対応してもよい。また、ピコセルは、２つのマクロセルに重なってもよい。また、ピコセルは、別のピコセルと部分的に重なってもよい。
【０３７８】
また、同期関係情報として、ＳＲ１情報〜ＳＲ５情報（第２の変形例においては、ＳＲ１情報〜ＳＲ９情報）が提供される例を説明したが、本開示は係る例に限定されない。例えば、ＳＲ１情報〜ＳＲ５情報（又はＳＲ１情報〜ＳＲ９情報）の一部の同期関係情報のみが提供されてもよい。また、ＳＲ１〜ＳＲ５（又はＳＲ１〜ＳＲ９）以外の同期関係を示す同期関係情報が提供されてもよい。
【０３７９】
また、ＳＲ１情報〜ＳＲ５情報（第２の変形例においては、ＳＲ１情報〜ＳＲ９情報）の各々がマクロｅＮｏｄｅＢ及びピコｅＮｏｄｅＢのいずれか一方により提供される例を説明したが、本開示は係る例に限定されない。ＳＲ１情報〜ＳＲ５情報（又はＳＲ１情報〜ＳＲ９情報）の一部の同期関係情報は、マクロｅＮｏｄｅＢ及びピコｅＮｏｄｅＢの両方により提供されてもよい。
【０３８０】
また、ＳＲ１情報〜ＳＲ５情報（第２の変形例においては、ＳＲ１情報〜ＳＲ９情報）の各々がシステム情報及びＲＲＣシグナリングのうちの一方のみで提供される例を説明したが、本開示は係る例に限定されない。ＳＲ１情報〜ＳＲ５情報（又はＳＲ１情報〜ＳＲ９情報）の一部又は全部の同期関係情報は、システム情報及びＲＲＣシグナリングの両方で提供されてもよく、又は、システム情報及びＲＲＣシグナリングのうちの随時選択される一方の手法で提供されてもよい。
【０３８１】
また、互いに同期している周波数帯域（例えば、互いに同期しているＣＣ）とは時間方向及び周波数方向の両方で互いに同期していることを示すものとして説明したが、本開示は係る例に限定されない。例えば、互いに同期している周波数帯域とは、時間方向で同期している周波数帯域であってもよい。また、例えば、互いに同期している周波数帯域とは、周波数方向で同期している周波数帯域であってもよい。また、例えば、互いに同期している周波数帯域とは、時間方向又は周波数方向のいずれか一方で同期している周波数帯域であってもよい。この場合に、同期関係情報は、互いに同期する周波数帯域が時間方向及び周波数方向のいずれで同期しているかをさらに示してもよい。
【０３８２】
また、スモールセルの一例としてピコセルが挙げられたが、本開示は係る例に限定されない。スモールセルは、ピコセルの代わりに、マクロセルと一部又は全体で重なる別のセル（例えば、ナノセル、フェムトセル、等）であってもよい。
【０３８３】
通信システムがＬＴＥ−Ａに準拠する例を説明したが、本開示は係る例に限定されない。例えば、通信システムは、３ＧＰＰにおける別の規格に準拠するシステムであってもよい。一例として、通信システムは、３ＧＰＰにおける将来の規格に準拠するシステムであってもよい。
【０３８４】
また、本明細書の通信制御処理における処理ステップは、必ずしもフローチャートに記載された順序に沿って時系列に実行されなくてよい。例えば、通信制御における処理ステップは、フローチャートとして記載した順序と異なる順序で実行されても、並列的に実行されてもよい。
【０３８５】
また、通信制御装置（例えば、ピコｅＮｏｄｅＢ及びマクロｅＮｏｄｅＢ）及び端末装置（例えば、ＵＥ）に内蔵されるＣＰＵ、ＲＯＭ及びＲＡＭ等のハードウェアに、上記通信制御装置及び端末装置の各構成と同等の機能を発揮させるためのコンピュータプログラムも作成可能である。また、当該コンピュータプログラムを記憶させた記憶媒体も提供される。
【０３８６】
なお、以下のような構成も本開示の技術的範囲に属する。
（１）
マクロセルと一部又は全体で重なるスモールセル内での無線通信を制御する通信制御部と、
前記スモールセルで用いられる複数の周波数帯域のうちのどの周波数帯域が互いに同期しているかを示す第１の同期関係情報を取得する取得部と、
を備え、
前記第１の同期関係情報は、前記通信制御部により前記スモールセル内で提供され、前記マクロセルの基地局により前記マクロセル内で提供されない、
通信制御装置。
（２）
前記マクロセルで用いられる１つ以上の別の周波数帯域のうちのどの周波数帯域がどの周波数帯域と同期しているかを示す第２の同期関係情報は、前記マクロセルの前記基地局により前記マクロセル内で提供される、前記（１）に記載の通信制御装置。
（３）
前記第２の同期関係情報は、前記マクロセルで用いられる前記１つ以上の別の周波数帯域のうちのどの周波数帯域が、前記スモールセルで用いられる前記複数の周波数帯域のうちのどの周波数帯域と同期しているか、を示す、前記（２）に記載の通信制御装置。
（４）
前記マクロセルで用いられる前記１つ以上の別の周波数帯域は、２つ以上の周波数帯域を含み、
前記第２の同期関係情報は、前記１つ以上の別の周波数帯域のうちのどの周波数帯域が互いに同期しているかを示す、
前記（２）又は（３）に記載の通信制御装置。
（５）
前記取得部は、前記マクロセルで用いられる１つ以上の別の周波数帯域のうちのどの周波数帯域が、前記スモールセルで用いられる前記複数の周波数帯域のうちのどの周波数帯域と同期しているか、を示す第２の同期関係情報を取得し、
前記第２の同期関係情報は、前記通信制御部により前記スモールセル内で提供され、前記マクロセルの前記基地局により前記マクロセル内で提供されない、前記（１）に記載の通信制御装置。
（６）
前記取得部は、前記複数の周波数帯域のうちのどの周波数帯域が、前記マクロセル及び前記スモールセル以外の別のセルで用いられる１つ以上の周波数帯域のうちのどの周波数帯域と同期しているか、を示す第３の同期関係情報を取得し、
前記第３の同期関係情報は、前記通信制御部により前記スモールセル内で提供され、前記マクロセルの基地局により前記マクロセル内で提供されない、
前記（１）〜（５）のいずれか１項に記載の通信制御装置。
（７）
前記別のセルは、前記マクロセルと一部又は全体で重なる別のスモールセルを含む、前記（６）に記載の通信制御装置。
（８）
前記別のセルは、前記マクロセルに隣接する別のマクロセルを含む、前記（６）又は（７）に記載の通信制御装置。
（９）
前記取得部は、前記マクロセル及び前記スモールセル以外の別のセルで用いられる複数の周波数帯域のうちのどの周波数帯域が互いに同期しているかを示す第４の同期関係情報を取得し、
前記第４の同期関係情報は、前記通信制御部により前記スモールセル内で提供され、前記マクロセルの基地局により前記マクロセル内で提供されない、
前記（１）〜（８）のいずれか１項に記載の通信制御装置。
（１０）
前記別のセルは、前記マクロセルと一部又は全体で重なる別のスモールセル、及び前記マクロセルに隣接する別のマクロセルであり、
前記第４の同期関係情報は、前記別のスモールセルで用いられる１つ以上の周波数帯域のうちのどの周波数帯域が、前記別のマクロセルで用いられる１つ以上の周波数帯域のうちのどの周波数帯域と同期しているか、を示す、
前記（９）に記載の通信制御装置。
（１１）
前記通信制御部は、前記第１の同期関係情報を含む２種類以上の同期関係情報の各々が前記マクロセル及び前記スモールセルのうちのいずれで提供されるかを示す情報を、前記スモールセル内で提供する、前記（１）〜（１０）のいずれか１項に記載の通信制御装置。
（１２）
前記第１の同期関係情報を含む２種類以上の同期関係情報の各々は、同期関係情報の種類に応じて、個別の端末装置へのシグナリング、及び端末装置に共通のシステム情報のうちのいずれか一方で提供される、前記（１）〜（１１）のいずれか１項に記載の通信制御装置。
（１３）
前記第１の同期関係情報を含む２種類以上の同期関係情報の各々は、個別の端末装置へのシグナリングで前記通信制御部により前記スモールセル内で提供され、又は、端末装置に共通のシステム情報で前記マクロセルの前記基地局により前記マクロセル内で提供される、前記（１）〜（１２）のいずれか１項に記載の通信制御装置。
（１４）
前記通信制御部は、前記第１の同期関係情報を含む２種類以上の同期関係情報の各々が、個別の端末装置へのシグナリング、及び端末装置に共通のシステム情報のうちのいずれで提供されるか、を示す情報を、前記スモールセル内で提供する、前記（１２）又は（１３）に記載の通信制御装置。
（１５）
前記通信制御部は、前記第１の同期関係情報を含む２種類以上の同期関係情報の各々を、種類の重要度に応じた順序で提供する、前記（１）〜（１４）のいずれか１項に記載の通信制御装置。
（１６）
マクロセルと一部又は全体で重なるスモールセル内での無線通信を制御することと、
前記スモールセルで用いられる複数の周波数帯域のうちのどの周波数帯域が互いに同期しているかを示す第１の同期関係情報を取得することと、
を含み、
前記第１の同期関係情報は、前記スモールセルの基地局により前記スモールセル内で提供され、前記マクロセルの基地局により前記マクロセル内で提供されない、
通信制御方法。
（１７）
スモールセルの一部又は全体と重なるマクロセル内での無線通信を制御する通信制御部と、
複数の周波数帯域のうちのどの周波数帯域が互いに同期しているかを示す同期関係情報を取得する取得部と、
を備え、
前記通信制御部は、前記同期関係情報を前記マクロセル内で提供し、
前記同期関係情報は、前記スモールセルで用いられる複数の周波数帯域のうちのどの周波数帯域が互いに同期しているかを示す第１の同期関係情報を含まず、
前記第１の同期関係情報は、前記スモールセルの基地局により提供される、
通信制御装置。
（１８）
前記取得部は、前記マクロセル及び前記スモールセル以外の別のセルで用いられる複数の周波数帯域のうちのどの周波数帯域が互いに同期しているかを示す第５の同期関係情報を取得し、
前記通信制御部は、前記第５の同期関係情報を前記マクロセル内で提供する、前記（１７）に記載の通信制御装置。
（１９）
前記別のセルは、前記マクロセルに隣接する別のマクロセルである、前記（１８）に記載の通信制御装置。
（２０）
マクロセルに一部又は全体で重なるスモールセル又は前記マクロセル内で無線通信を行う無線通信部と、
前記スモールセルで用いられる複数の周波数帯域のうちのどの周波数帯域が互いに同期しているかを示す第１の同期関係情報を、前記スモールセルの基地局により前記スモールセル内で提供される情報から取得し、前記マクロセルの基地局により前記マクロセル内で提供される情報から取得しない取得部と、
を備える端末装置
【符号の説明】
【０３８７】
１        通信システム
１１      ピコセル
２１      マクロセル
１００    ピコｅＮｏｄｅＢ
１５１    同期関係情報取得部
１５３    通信制御部
２００    マクロｅＮｏｄｅＢ
２５１    同期関係情報取得部
２５３    通信制御部
３００    ＵＥ（User  Equipment）
３４１    同期関係情報取得部
３４３    通信制御部
【図１】
2014129040.tif 000003
【図２】
2014129040.tif 000004
【図３】
2014129040.tif 000005
【図４】
2014129040.tif 000006
【図５】
2014129040.tif 000007
【図６】
2014129040.tif 000008
【図７】
2014129040.tif 000009
【図８】
2014129040.tif 000010
【図９】
2014129040.tif 000011
【図１０】
2014129040.tif 000012
【図１１】
2014129040.tif 000013
【図１２】
2014129040.tif 000014
【図１３】
2014129040.tif 000015
【図１４】
2014129040.tif 000016
【図１５】
2014129040.tif 000017
【図１６】
2014129040.tif 000018
【図１７】
2014129040.tif 000019
【図１８】
2014129040.tif 000020
【図１９】
2014129040.tif 000021
【図２０】
2014129040.tif 000022
【図２１】
2014129040.tif 000023
【図２２】
2014129040.tif 000024
【図２３】
2014129040.tif 000025
【図２４】
2014129040.tif 000026
【図２５】
2014129040.tif 000027
【図２６】
2014129040.tif 000028
【図２７】
2014129040.tif 000029
【図２８】
2014129040.tif 000030
【図２９】
2014129040.tif 000031
【図３０】
2014129040.tif 000032
【図３１】
2014129040.tif 000033
【図３２】
2014129040.tif 000034
【図３３】
2014129040.tif 000035
【図３４】
2014129040.tif 000036
【国際調査報告】
2014129040.tif 000037
2014129040.tif 000038
2014129040.tif 000039
2014129040.tif 000040